(57)【要約】  本願は、セッション処理方法、装置及びコンピュータ記憶媒体を開示し、前記方法は、ＰＤＵセッション及び／又はＰＤＵセッションのデータストリームに対して第１のタイプの伝送及び／又は第１のタイプの切替プロセスを行うことを含み、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、ここで、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
2021525015.tif 000002
【特許請求の範囲】
【請求項１】
ＰＤＵセッション及び／又はＰＤＵセッションのデータストリームに対して第１のタイプの伝送及び／又は第１のタイプの切替プロセスを行うことを含み、
前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、
前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む
ことを特徴とするセッション処理方法。
【請求項２】
前記エアインターフェースデータ無線ベアラが前記第１の基地局から前記第２の基地局に切り替えることは、
端末が前記第１の基地局とエアインターフェースデータ無線ベアラを確立している場合、前記エアインターフェースデータ無線ベアラを前記第１の基地局から前記第２の基地局に直接に切り替えること、又は、
端末が前記第１の基地局とエアインターフェースデータ無線ベアラを確立している場合、前記第２の基地局とのエアインターフェースデータ無線ベアラを確立してから、前記第１の基地局側のエアインターフェースデータ無線ベアラを解放することを含む
ことを特徴とする請求項１に記載のセッション処理方法。
【請求項３】
第３のコアネットワーク要素が前記第１の基地局により送信された切替要求を受信した後、第１のコアネットワーク要素が前記第３のコアネットワーク要素により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する
ことを特徴とする請求項１又は２に記載のセッション処理方法。
【請求項４】
前記第２のコアネットワーク要素が前記第１の基地局との第１の経路を解放することは、
端末が前記第１の基地局側のＰＤＵセッションを解放する要求メッセージを前記第１のコアネットワーク要素に送信して、前記第１のコアネットワーク要素が前記第２のコアネットワーク要素が前記第１の基地局側のＰＤＵセッションを解放するようにトリガーすること、又は、
前記第１のコアネットワークが、前記第２のコアネットワーク要素が前記第１の基地局側のＰＤＵセッションを解放するようにトリガーすることを含む
ことを特徴とする請求項３に記載のセッション処理方法。
【請求項５】
前記第１の基地局と前記第２の基地局とがエアインターフェース切替を行う過程において、第１のコアネットワーク要素が前記第１の基地局及び／又は前記第２の基地局により送信されたセッション確立又は修正要求メッセージを受信し、
前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する
ことを特徴とする請求項１又は２に記載のセッション処理方法。
【請求項６】
前記第１の基地局と前記第２の基地局とがエアインターフェース切替を行うことは、前記第１の基地局が前記第２の基地局に切替要求メッセージを送信し、前記第２の基地局が前記第１の基地局に切替返信メッセージを送信し、前記第１の基地局と前記第２の基地局とが端末側のエアインターフェース切替を完了することを含み、
前記第２の基地局が前記第１の基地局に切替返信メッセージを送信した後、前記第１のコアネットワーク要素が前記第２の基地局により送信されたセッション確立又は修正要求メッセージを受信し、及び／又は、
前記第１の基地局と前記第２の基地局とが端末側のエアインターフェース切替を完了した後、前記第１のコアネットワーク要素が前記第１の基地局により送信されたセッション確立又は修正要求メッセージを受信する
ことを特徴とする請求項５に記載のセッション処理方法。
【請求項７】
前記第２のコアネットワーク要素が前記第１の基地局との第１の経路を解放することは、
前記第２の基地局が第３のコアネットワーク要素に経路切替要求メッセージを送信し、前記第３のコアネットワーク要素が前記第１のコアネットワーク要素にセッション修正要求メッセージを送信し、前記第１のコアネットワークが、前記第２のコアネットワーク要素が前記第１の基地局側のＰＤＵセッションを解放するようにトリガーすることを含む
ことを特徴とする請求項５又は６に記載のセッション処理方法。
【請求項８】
前記ＰＤＵセッション識別情報及び／又はデータストリーム識別情報は、第１のタイプの切替を実行するかどうかを指示する
ことを特徴とする請求項３〜７のいずれか１項に記載のセッション処理方法。
【請求項９】
第１のコアネットワーク要素がセッション確立又は修正要求メッセージを受信し、前記セッション確立又は修正要求メッセージにＰＤＵセッションの識別情報及び／又はデータストリーム識別情報及び／又はスライス選択支援情報ＳＮＳＳＡＩ及び／又はＤＮＮ情報が含まれ、前記セッション確立又は修正要求メッセージ内の情報に基づいて前記ＰＤＵセッション及び／又は前記ＰＤＵセッション内のデータストリームに対して第１のタイプの伝送及び／又は第１のタイプの切替プロセスを行うかどうかを決定する
ことを特徴とする請求項１〜８のいずれか１に記載のセッション処理方法。
【請求項１０】
前記第１のコアネットワーク要素が前記セッション確立又は修正要求メッセージ内のＳＮＳＳＡＩ及び／又はＤＮＮ及び／又は第１のポリシーに基づいて、前記ＰＤＵセッション及び／又は前記ＰＤＵセッション内のデータストリームに対して第１のタイプの伝送及び／又は第１のタイプの切替プロセスを行うかどうかを決定し、
前記第１のポリシーが少なくとも１つのセットのＳ−ＮＳＳＡＩ及び／又はＤＮＮと第１の指示情報との対応関係及び／又はポリシーと課金制御ＰＣＣポリシー情報を含み、前記第１の指示情報が第１のタイプの伝送及び／又は第１のタイプの切替プロセスを行うかどうかを指示する
ことを特徴とする請求項９に記載のセッション処理方法。
【請求項１１】
前記セッション確立又は修正要求メッセージに２つのＰＤＵセッション識別情報及び／又はデータストリーム識別情報が含まれ、
前記第１のコアネットワーク要素が前記２つのＰＤＵセッション識別情報及び／又はデータストリーム識別情報に基づいて、前記２つのＰＤＵセッションの全て又は一部のデータストリームに対して前記第１のタイプの伝送及び／又は前記第１のタイプの切替プロセスを行うと決定する
ことを特徴とする請求項９又は１０に記載のセッション処理方法。
【請求項１２】
前記端末が２回のセッション確立又は変更要求を開始し、１回目のセッション確立又は修正要求メッセージに第１のセッション識別子が含まれ、２回目のセッション確立又は修正要求メッセージに第１のセッション識別子及び第２のセッション識別子が含まれ、及び／又は、１回目のセッション確立又は修正要求メッセージに第１のデータストリーム識別子が含まれ、２回目のセッション確立又は修正要求メッセージに第１のデータストリーム識別子及び第２のデータストリーム識別子が含まれる
ことを特徴とする請求項１１に記載のセッション処理方法。
【請求項１３】
前記ＰＤＵセッション識別子及び／又はデータストリーム識別子には第１の情報が含まれ、前記第１の情報は、第１のタイプの伝送及び／又は第１のタイプの切替プロセスを行うように指示する
ことを特徴とする請求項９〜１２のいずれか１に記載のセッション処理方法。
【請求項１４】
前記第１のコアネットワーク要素が前記ＰＤＵセッションの識別情報及び／又はデータストリーム識別情報と前記第１のタイプの伝送及び／又は第１のタイプの切替プロセスの実行の要否との対応関係を記憶することと、
前記第１のコアネットワーク要素が、切替要求を毎回受信した後、ローカルに記憶されたＰＤＵセッションの識別情報及び／又はデータストリーム識別情報と前記第１のタイプの伝送及び／又は第１のタイプの切替プロセスの実行の要否との対応関係に基づいて、ＰＤＵセッション及び／又は前記ＰＤＵセッション内のデータストリームに対して第１のタイプの伝送及び／又は第１のタイプの切替プロセスを行うかどうかを決定することとを含む
ことを特徴とする請求項９又は１０に記載のセッション処理方法。
【請求項１５】
前記第１のコアネットワーク要素が前記ＰＤＵセッション及び／又は前記ＰＤＵセッション内のデータストリームに対して第１のタイプの伝送及び／又は第１のタイプの切替プロセスを行うことを基地局に通知する
ことを特徴とする請求項９又は１０に記載のセッション処理方法。
【請求項１６】
前記第１のポリシーは、契約情報データベースＵＤＭ、ポリシー制御ネットワーク要素ＰＣＦ、前記第１のコアネットワーク要素のうちの少なくとも１つのネットワーク要素に構成される
ことを特徴とする請求項１０〜１５のいずれか１に記載のセッション処理方法。
【請求項１７】
前記第１のコアネットワーク要素が前記セッション確立又は修正要求メッセージ内の情報及び／又は第１のポリシー及び／又は前記ＰＤＵセッション内のデータストリームのＱｏＳパラメータに基づいて、前記ＰＤＵセッション及び／又は前記ＰＤＵセッション内のデータストリームに対して第１のタイプの伝送及び／又は第１のタイプの切替プロセスを行うかどうかを決定する
ことを特徴とする請求項１０〜１６のいずれか１項に記載のセッション処理方法。
【請求項１８】
前記第１のタイプの切替プロセスにおいて、前記第１の基地局側の第１の経路及び前記第２の基地局側の第２の経路に同一のＩＰアドレスを割り当て、前記第１の基地局側のＰＤＵセッションと前記第２の基地局側のＰＤＵセッションとが同じデータストリーム及びＱｏＳポリシーに対応する
ことを特徴とする請求項１〜１７のいずれか１項に記載のセッション処理方法。
【請求項１９】
前記第１のタイプの切替プロセスにおいて、前記第１の基地局側の第１の経路及び前記第２の基地局側の第２の経路に異なるＩＰアドレスを割り当て、前記第１の基地局側のＰＤＵセッションと前記第２の基地局側のＰＤＵセッションとが同じデータストリーム及びＱｏＳポリシーに対応する
ことを特徴とする請求項１〜１７のいずれか１項に記載のセッション処理方法。
【請求項２０】
前記第１のタイプの切替プロセスにおいて、
前記第２のコアネットワーク要素が前記第１の基地局との第１の経路の確立及び前記第２の基地局との第２の経路の確立を完了した後、下り方向において前記第１の基地局及び前記第２の基地局に同一のデータを同時送信し、及び／又は、上り方向において前記第１の基地局及び前記第２の基地局により送信された同一のデータを受信し、
前記第２の基地局が前記第２の経路を介して前記第２のコアネットワーク要素により送信された下りデータを受信した後、前記エアインターフェースデータ無線ベアラが前記第１の基地局から前記第２の基地局に切り替える前又は前記第２の基地局側のエアインターフェースデータ無線ベアラが確立する前に、前記下りデータをキャッシュ又は破棄する
ことを特徴とする請求項１〜１９のいずれか１項に記載のセッション処理方法。
【請求項２１】
前記第１の経路と前記第２の経路とが同一のＰＤＵセッションに属する
ことを特徴とする請求項２０に記載のセッション処理方法。
【請求項２２】
前記コピー型伝送は、２つの異なる経路において同じデータを伝送することである
ことを特徴とする請求項１〜２１のいずれか１項に記載のセッション処理方法。
【請求項２３】
前記２つの異なる経路において同じデータを伝送することは、
コアネットワーク側で、同一の第２のコアネットワーク要素が２つの異なる経路において同じデータを伝送し、又は、２つの異なる第２のコアネットワーク要素が２つの異なる経路において同じデータを伝送することと、
アクセスネットワーク側で、同一の基地局の２つの異なるデータベアラに同じデータが伝送され、又は、２つの異なる基地局の２つの異なるデータベアラに同じデータが伝送されることとを含む
ことを特徴とする請求項２２に記載のセッション処理方法。
【請求項２４】
前記異なる経路のＩＰアドレスが異なり又は同じ、前記異なる経路のデータストリームとＱｏＳポリシーが異なり又は同じである
ことを特徴とする請求項２２又は２３に記載のセッション処理方法。
【請求項２５】
コアネットワーク側で同一の第２のコアネットワーク要素が２つの異なる経路において同じデータを伝送し、アクセスネットワーク側で２つの異なる基地局の２つの異なるデータベアラに同じデータが伝送される場合、
前記第２のコアネットワーク要素が前記第１の基地局及び前記第２の基地局に同一の下りデータパケットを同時送信する
ことを特徴とする請求項２３に記載のセッション処理方法。
【請求項２６】
異なる経路において伝送されるデータのデータストリーム識別子が同じである
ことを特徴とする請求項２０〜２５のいずれか１項に記載のセッション処理方法。
【請求項２７】
異なる経路において伝送されるデータのデータストリーム識別子が異なる
ことを特徴とする請求項２０〜２５のいずれか１項に記載のセッション処理方法。
【請求項２８】
前記第２のコアネットワーク要素が前記第１の基地局及び前記第２の基地局に同時送信する同一の下りデータパケットには、第１のシーケンス番号が含まれ、
下りデータ伝送について、前記第１の基地局が下りデータパケットのコアネットワークプロトコルにおける一層の第１のシーケンス番号とエアインターフェースプロトコルにおける一層の第２のシーケンス番号との対応関係を前記第２の基地局に通知し、前記第２の基地局が受信したデータパケットから前記コアネットワークプロトコルにおける一層の第１のシーケンス番号を解析して取得し、前記第１のシーケンス番号と前記第２のシーケンス番号との対応関係に基づいて前記第１のシーケンス番号に対応する前記第２のシーケンス番号を端末に送信し、前記端末が前記第２のシーケンス番号に基づいて前記データパケットを並び替える
ことを特徴とする請求項２０又は２５に記載のセッション処理方法。
【請求項２９】
前記第２の基地局が下り方向において受信したデータパケット内の第１のシーケンス番号が前記対応関係の第１のシーケンス番号と異なる場合、前記第２の基地局が前記対応関係に基づいて前記データパケットの第１のシーケンス番号に対応する第２のシーケンス番号を計算する
ことを特徴とする請求項２８に記載のセッション処理方法。
【請求項３０】
前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する
ことを特徴とする請求項２８又は２９に記載のセッション処理方法。
【請求項３１】
前記端末が前記第１の基地局と前記第２の基地局に同時に送信する同一上りデータパケットには、第２のシーケンス番号が含まれ、
上りデータ伝送について、前記第１の基地局が上りデータパケットのエアインターフェースプロトコルにおける一層の第２のシーケンス番号とコアネットワークプロトコルにおける一層の第１のシーケンス番号との対応関係を前記第２の基地局に通知し、前記第２の基地局が受信したデータパケットから前記エアインターフェースプロトコルにおける一層の第２のシーケンス番号を解析して取得し、前記第２のシーケンス番号と前記第１のシーケンス番号との対応関係に基づいて前記第２のシーケンス番号に対応する前記第１のシーケンス番号を第２のコアネットワーク要素に送信し、前記第２のコアネットワーク要素が前記第１のシーケンス番号に基づいて前記データパケットを並び替える
ことを特徴とする請求項２０又は２５に記載のセッション処理方法。
【請求項３２】
前記第２の基地局が上り方向において受信したデータパケットの第２のシーケンス番号が前記対応関係の第２のシーケンス番号と異なる場合、前記第２の基地局が前記対応関係に基づいて前記データパケットの第２のシーケンス番号に対応する第１のシーケンス番号を計算する
ことを特徴とする請求項３１に記載のセッション処理方法。
【請求項３３】
前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する
ことを特徴とする請求項３１又は３２に記載のセッション処理方法。
【請求項３４】
前記エアインターフェースプロトコルにおける一層がＰＤＣＰ層及び／又はＳＤＡＰ層を含み、前記コアネットワークプロトコルにおける一層がＧＴＰ層を含む
ことを特徴とする請求項２８〜３３のいずれか１項に記載のセッション処理方法。
【請求項３５】
在前記ＰＤＣＰ層に第２のシーケンス番号を追加する場合、コアネットワークユーザプレーン冗長伝送のデータストリームに対応するエアインターフェースデータ無線ベアラが、他のデータストリームを伝送しない
ことを特徴とする請求項３４に記載のセッション処理方法。
【請求項３６】
前記第１の基地局がＸｎインターフェースを介して前記第１のシーケンス番号と前記第２のシーケンス番号との対応関係を前記第２の基地局に通知し、又は、
前記第１の基地局がＮ２インターフェースを介して前記第１のシーケンス番号と前記第２のシーケンス番号との対応関係をコアネットワークに送信し、前記コアネットワークが前記第１のシーケンス番号と前記第２のシーケンス番号との対応関係を前記第２の基地局に送信し、又は、
前記第１の基地局がエアインターフェースメッセージを介して前記第１のシーケンス番号と前記第２のシーケンス番号との対応関係を前記第２の基地局に通知する
ことを特徴とする請求項２８に記載のセッション処理方法。
【請求項３７】
前記第１の基地局が下りデータパケットを受信した後、前記データパケットから前記第１のシーケンス番号を解析して取得し、エアインターフェースプロトコルにおける一層の第２のシーケンス番号で前記データパケットを並び替え、前記データパケットの前記第１のシーケンス番号と前記第２のシーケンス番号との対応関係を決定する
ことを特徴とする請求項２８に記載のセッション処理方法。
【請求項３８】
前記第２のコアネットワーク要素が前記第１の基地局及び前記第２の基地局に同時に送信する同一の下りデータパケットには、第１のシーケンス番号が含まれ、
下りデータ伝送について、前記第１の基地局及び／又は前記第２の基地局が下りデータパケットを受信した後、前記下りデータパケットの前記第１のシーケンス番号が前記端末に伝送され、前記端末が前記下りデータパケットから前記第１のシーケンス番号を解析して取得し、前記第１のシーケンス番号に基づいて前記下りデータパケットを並べ替える
ことを特徴とする請求項２０又は２５に記載のセッション処理方法。
【請求項３９】
前記端末が前記第１の基地局及び前記第２の基地局に同時に送信した同一の上りデータパケットには、第１のシーケンス番号が含まれ、
上りデータ伝送について、前記第１の基地局及び／又は前記第２の基地局が上りデータパケットを受信した後、前記上りデータパケットの前記第１のシーケンス番号が前記第２のコアネットワーク要素に伝送され、前記第２のコアネットワーク要素が前記上りデータパケットから前記第１のシーケンス番号を解析して取得し、前記第１のシーケンス番号に基づいて前記上りデータパケットを並び替える
ことを特徴とする請求項２０又は２５に記載のセッション処理方法。
【請求項４０】
前記データパケットの第１のシーケンス番号は、ＰＤＣＰ層又はＳＤＡＰ層又はＧＴＰ層以上のプロトコル層に含まれる
ことを特徴とする請求項３８又は３９に記載のセッション処理方法。
【請求項４１】
前記エアインターフェースデータ無線ベアラが前記第１の基地局から前記第２の基地局に切り替えた後又は在前記第２の基地局側のエアインターフェースデータ無線ベアラが確立された後、前記第２の基地局が端末に下りデータを送信し、
前記第２の基地局に前記第２のコアネットワーク要素からの下りデータがキャッシュされた場合、キャッシュされた前記第２のコアネットワーク要素からの下りデータを前記端末に送信する
ことを特徴とする請求項２０〜４０のいずれか１項に記載のセッション処理方法。
【請求項４２】
制御ユニットを備えるセッション処理装置であって、
前記制御ユニットは、ＰＤＵセッション及び／又はＰＤＵセッションのデータストリームに対して第１のタイプの伝送及び／又は第１のタイプの切替プロセスを行うように構成され、
前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、
前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む
ことを特徴とするセッション処理装置。
【請求項４３】
前記エアインターフェースデータ無線ベアラが前記第１の基地局から前記第２の基地局に切り替えることは、
端末が前記第１の基地局とエアインターフェースデータ無線ベアラを確立している場合、前記エアインターフェースデータ無線ベアラを前記第１の基地局から前記第２の基地局に直接に切り替えること、又は、
端末が前記第１の基地局とエアインターフェースデータ無線ベアラを確立している場合、前記第２の基地局とのエアインターフェースデータ無線ベアラを確立してから、前記第１の基地局側のエアインターフェースデータ無線ベアラを解放することを含む
ことを特徴とする請求項４２に記載のセッション処理装置。
【請求項４４】
受信ユニットをさらに含み、第３のコアネットワーク要素が前記第１の基地局により送信された切替要求を受信した後、前記受信ユニットが前記第３のコアネットワーク要素により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する
ことを特徴とする請求項４２又は４３に記載のセッション処理装置。
【請求項４５】
前記第２のコアネットワーク要素が前記第１の基地局との第１の経路を解放することは、
端末が前記第１の基地局側のＰＤＵセッションを解放する要求メッセージを前記第１のコアネットワーク要素に送信して、前記第１のコアネットワーク要素が前記第２のコアネットワーク要素が前記第１の基地局側のＰＤＵセッションを解放するようにトリガーすること、又は、
前記第１のコアネットワークが、前記第２のコアネットワーク要素が前記第１の基地局側のＰＤＵセッションを解放するようにトリガーすることを含む
ことを特徴とする請求項４４に記載のセッション処理装置。
【請求項４６】
受信ユニットをさらに含み、前記第１の基地局と前記第２の基地局がエアインターフェース切替を実行する過程において、前記受信ユニットが前記第１の基地局及び／又は前記第２の基地局により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する
ことを特徴とする請求項４２又は４３に記載のセッション処理装置。
【請求項４７】
前記第１の基地局と前記第２の基地局とがエアインターフェース切替を行うことは、前記第１の基地局が前記第２の基地局に切替要求メッセージを送信し、前記第２の基地局が前記第１の基地局に切替返信メッセージを送信し、前記第１の基地局と前記第２の基地局とが端末側のエアインターフェース切替を完了することを含み、
前記第２の基地局が前記第１の基地局に切替返信メッセージを送信した後、前記受信ユニットが前記第２の基地局により送信されたセッション確立又は修正要求メッセージを受信し、及び／又は、
前記第１の基地局と前記第２の基地局とが端末側のエアインターフェース切替を完了した後、前記受信ユニットが前記第１の基地局により送信されたセッション確立又は修正要求メッセージを受信する
ことを特徴とする請求項４６に記載のセッション処理装置。
【請求項４８】
前記第２のコアネットワーク要素が前記第１の基地局との第１の経路を解放することは、
前記第２の基地局が第３のコアネットワーク要素に経路切替要求メッセージを送信し、前記第３のコアネットワーク要素が前記第１のコアネットワーク要素にセッション修正要求メッセージを送信し、前記第１のコアネットワークが、前記第２のコアネットワーク要素が前記第１の基地局側のＰＤＵセッションを解放するようにトリガーすることを含む
ことを特徴とする請求項４６又は４７に記載のセッション処理装置。
【請求項４９】
前記ＰＤＵセッション識別情報及び／又はデータストリーム識別情報は、第１のタイプの切替を実行するかどうかを指示する
ことを特徴とする請求項４４〜４８のいずれか１項に記載のセッション処理装置。
【請求項５０】
受信ユニット及び決定ユニットをさらに含み
受信ユニットは、セッション確立又は修正要求メッセージを受信するように構成され、前記セッション確立又は修正要求メッセージにＰＤＵセッションの識別情報及び／又はデータストリーム識別情報及び／又はスライス選択支援情報ＳＮＳＳＡＩ及び／又はＤＮＮ情報が含まれ、
前記決定ユニットは、前記セッション確立又は修正要求メッセージ内の情報に基づいて前記ＰＤＵセッション及び／又は前記ＰＤＵセッション内のデータストリームに対して第１のタイプの伝送及び／又は第１のタイプの切替プロセスを行うかどうかを決定するように構成される
ことを特徴とする請求項４２〜４９のいずれか１項に記載のセッション処理装置。
【請求項５１】
前記決定ユニットは、前記セッション確立又は修正要求メッセージのＳＮＳＳＡＩ及び／又はＤＮＮ及び／又は第１のポリシーに基づいて、前記ＰＤＵセッション及び／又は前記ＰＤＵセッション内のデータストリームに対して第１のタイプの伝送及び／又は第１のタイプの切替プロセスを行うかどうかを決定するように構成され、
前記第１のポリシーが少なくとも１つのセットのＳ−ＮＳＳＡＩ及び／又はＤＮＮと第１の指示情報との対応関係及び／又はＰＣＣポリシー情報を含み、前記第１の指示情報が第１のタイプの伝送及び／又は第１のタイプの切替プロセスを行うかどうかを指示する
ことを特徴とする請求項５０に記載のセッション処理装置。
【請求項５２】
前記セッション確立又は修正要求メッセージに２つのＰＤＵセッション識別情報及び／又はデータストリーム識別情報が含まれ、
前記第１のコアネットワーク要素が前記２つのＰＤＵセッション識別情報及び／又はデータストリーム識別情報に基づいて、前記２つのＰＤＵセッションの全て又は一部のデータストリームに対して前記第１のタイプの伝送及び／又は前記第１のタイプの切替プロセスを行うと決定する
ことを特徴とする請求項５０又は５１に記載のセッション処理装置。
【請求項５３】
前記端末が２回のセッション確立又は更新要求を開始し、１回目のセッション確立又は修正要求メッセージに第１のセッション識別子が含まれ、２回目のセッション確立又は修正要求メッセージに第１のセッション識別子及び第２のセッション識別子が含まれ、及び／又は、１回目のセッション確立又は修正要求メッセージに第１のデータストリーム識別子が含まれ、２回目のセッション確立又は修正要求メッセージに第１のデータストリーム識別子及び第２のデータストリーム識別子が含まれる
ことを特徴とする請求項５２に記載のセッション処理装置。
【請求項５４】
前記ＰＤＵセッション識別子及び／又はデータストリーム識別子には第１の情報が含まれ、前記第１の情報は、第１のタイプの伝送及び／又は第１のタイプの切替プロセスを行うように指示する
ことを特徴とする請求項５０〜５３のいずれか１項に記載のセッション処理装置。
【請求項５５】
記憶ユニットをさらに含み、
記憶ユニットは、前記ＰＤＵセッション的識別情報及び／又はデータストリーム識別情報と、前記第１のタイプの伝送及び／又は第１のタイプの切替プロセスの実行の要否との対応関係を記憶するように構成され、
前記決定ユニットは、さらに、前記受信ユニットが切替要求を受信した後、ローカルに記憶されたＰＤＵセッションの識別情報及び／又はデータストリーム識別情報と前記第１のタイプの伝送及び／又は第１のタイプの切替プロセスの実行の要否との対応関係に基づいて、ＰＤＵセッション及び／又は前記ＰＤＵセッション内のデータストリームに対して第１のタイプの伝送及び／又は第１のタイプの切替プロセスを行うかどうかを決定するように構成される
ことを特徴とする請求項５０又は５１に記載のセッション処理装置。
【請求項５６】
前記第１のコアネットワーク要素が前記ＰＤＵセッション及び／又は前記ＰＤＵセッション内のデータストリームに対して第１のタイプの伝送及び／又は第１のタイプの切替プロセスを行うことを基地局に通知する
ことを特徴とする請求項５０又は５１に記載のセッション処理装置。
【請求項５７】
前記第１のポリシーは、契約情報データベースＵＤＭ、ポリシー制御ネットワーク要素ＰＣＦ、前記第１のコアネットワーク要素のうちの少なくとも１つのネットワーク要素に構成される
ことを特徴とする請求項５１〜５６のいずれか１項に記載のセッション処理装置。
【請求項５８】
前記決定ユニットは、前記セッション確立又は修正要求メッセージ内の情報及び／又は第１のポリシー及び／又は前記ＰＤＵセッション内のデータストリームのＱｏＳパラメータに基づいて、前記ＰＤＵセッション及び／又は前記ＰＤＵセッション内のデータストリームに対して第１のタイプの伝送及び／又は第１のタイプの切替プロセスを行うかどうかを決定するように構成される
ことを特徴とする請求項５１〜５７のいずれか１項に記載のセッション処理装置。
【請求項５９】
前記第１のタイプの切替プロセスにおいて、前記第１の基地局側の第１の経路及び前記第２の基地局側の第２の経路に同一のＩＰアドレスを割り当て、前記第１の基地局側のＰＤＵセッションと前記第２の基地局側のＰＤＵセッションとが同じデータストリーム及びＱｏＳポリシーに対応する
ことを特徴とする請求項４２〜５８のいずれか１項に記載のセッション処理装置。
【請求項６０】
前記第１のタイプの切替プロセスにおいて、前記第１の基地局側の第１の経路及び前記第２の基地局側の第２の経路に異なるＩＰアドレスを割り当て、前記第１の基地局側のＰＤＵセッションと前記第２の基地局側のＰＤＵセッションとが同じデータストリーム及びＱｏＳポリシーに対応する
ことを特徴とする請求項４２〜５８のいずれか１項に記載のセッション処理装置。
【請求項６１】
前記第１のタイプの切替プロセスにおいて、
前記第２のコアネットワーク要素が前記第１の基地局との第１の経路の確立及び前記第２の基地局との第２の経路の確立を完了した後、下り方向において前記第１の基地局及び前記第２の基地局に同一のデータを同時送信し、及び／又は、上り方向において前記第１の基地局及び前記第２の基地局により送信された同一のデータを受信し、
前記第２の基地局が前記第２の経路を介して前記第２のコアネットワーク要素により送信された下りデータを受信した後、前記エアインターフェースデータ無線ベアラが前記第１の基地局から前記第２の基地局に切り替える前又は前記第２の基地局側のエアインターフェースデータ無線ベアラが確立する前に、前記下りデータをキャッシュ又は破棄する
ことを特徴とする請求項４２〜６０のいずれか１項に記載のセッション処理装置。
【請求項６２】
前記第１の経路と前記第２の経路とが同一のＰＤＵセッションに属する
ことを特徴とする請求項６１に記載のセッション処理装置。
【請求項６３】
前記コピー型伝送は、２つの異なる経路において同じデータを伝送することである
ことを特徴とする請求項４２〜６２のいずれか１項に記載のセッション処理装置。
【請求項６４】
前記２つの異なる経路において同じデータを伝送することは、
コアネットワーク側で、同一の第２のコアネットワーク要素が２つの異なる経路において同じデータを伝送し、又は、２つの異なる第２のコアネットワーク要素が２つの異なる経路において同じデータを伝送することと、
アクセスネットワーク側で、同一の基地局の２つの異なるデータベアラに同じデータが伝送され、又は、２つの異なる基地局の２つの異なるデータベアラに同じデータが伝送されることとを含む
ことを特徴とする請求項６３に記載のセッション処理装置。
【請求項６５】
前記異なる経路のＩＰアドレスが異なり又は同じであり、
前記異なる経路のデータストリームとＱｏＳポリシーが異なり又は同じである
ことを特徴とする請求項６３又は６４に記載のセッション処理装置。
【請求項６６】
コアネットワーク側で同一の第２のコアネットワーク要素が２つの異なる経路において同じデータを伝送し、アクセスネットワーク側で２つの異なる基地局の２つの異なるデータベアラに同じデータが伝送される場合、
前記第２のコアネットワーク要素が前記第１の基地局及び前記第２の基地局に下りデータパケットを同時送信する
ことを特徴とする請求項６４に記載のセッション処理装置。
【請求項６７】
異なる経路において伝送されるデータのデータストリーム識別子が同じである
ことを特徴とする請求項６１〜６６のいずれか１項に記載のセッション処理装置。
【請求項６８】
異なる経路において伝送されるデータのデータストリーム識別子が異なる
ことを特徴とする請求項６１〜６６のいずれか１項に記載のセッション処理装置。
【請求項６９】
前記第２のコアネットワーク要素が前記第１の基地局及び前記第２の基地局に同時送信する同一の下りデータパケットには、第１のシーケンス番号が含まれ、
下りデータ伝送について、前記第１の基地局が下りデータパケットのコアネットワークプロトコルにおける一層の第１のシーケンス番号とエアインターフェースプロトコルにおける一層の第２のシーケンス番号との対応関係を前記第２の基地局に通知し、前記第２の基地局が受信したデータパケットから前記コアネットワークプロトコルにおける一層の第１のシーケンス番号を解析して取得し、前記第１のシーケンス番号と前記第２のシーケンス番号との対応関係に基づいて前記第１のシーケンス番号に対応する前記第２のシーケンス番号を端末に送信し、前記端末が前記第２のシーケンス番号に基づいて前記データパケットを並び替える
ことを特徴とする請求項６１又は６６に記載のセッション処理装置。
【請求項７０】
前記第２の基地局が下り方向において受信したデータパケット内の第１のシーケンス番号が前記対応関係の第１のシーケンス番号と異なる場合、前記第２の基地局が前記対応関係に基づいて前記データパケットの第１のシーケンス番号に対応する第２のシーケンス番号を計算する
ことを特徴とする請求項６９に記載のセッション処理装置。
【請求項７１】
前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する
ことを特徴とする請求項６９又は７０に記載のセッション処理装置。
【請求項７２】
前記端末が前記第１の基地局と前記第２の基地局に同時送信する同一上りデータパケットには、第２のシーケンス番号が含まれ、
上りデータ伝送について、前記第１の基地局が上りデータパケットのエアインターフェースプロトコルにおける一層の第２のシーケンス番号とコアネットワークプロトコルにおける一層の第１のシーケンス番号との対応関係を前記第２の基地局に通知し、前記第２の基地局が受信したデータパケットから前記エアインターフェースプロトコルにおける一層の第２のシーケンス番号を解析して取得し、前記第２のシーケンス番号と前記第１のシーケンス番号との対応関係に基づいて前記第２のシーケンス番号に対応する前記第１のシーケンス番号を第２のコアネットワーク要素に送信し、前記第２のコアネットワーク要素が前記第１のシーケンス番号に基づいて前記データパケットを並び替える
ことを特徴とする請求項６１又は６６に記載のセッション処理装置。
【請求項７３】
前記第２の基地局が上り方向において受信したデータパケットの第２のシーケンス番号が前記対応関係の第２のシーケンス番号と異なる場合、前記第２の基地局が前記対応関係に基づいて前記データパケットの第２のシーケンス番号に対応する第１のシーケンス番号を計算する
ことを特徴とする請求項７２に記載のセッション処理装置。
【請求項７４】
前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する
ことを特徴とする請求項７２又は７３に記載のセッション処理装置。
【請求項７５】
前記エアインターフェースプロトコルにおける一層がＰＤＣＰ層及び／又はＳＤＡＰ層を含み、前記コアネットワークプロトコルにおける一層がＧＴＰ層を含む
ことを特徴とする請求項６９〜７４のいずれか１項に記載のセッション処理装置。
【請求項７６】
在前記ＰＤＣＰ層に第２のシーケンス番号を追加する場合、コアネットワークユーザプレーン冗長伝送のデータストリームに対応するエアインターフェースデータ無線ベアラが、他のデータストリームを伝送しない
ことを特徴とする請求項７５に記載のセッション処理装置。
【請求項７７】
前記第１の基地局がＸｎインターフェースを介して前記第１のシーケンス番号と前記第２のシーケンス番号との対応関係を前記第２の基地局に通知し、又は、
前記第１の基地局がＮ２インターフェースを介して前記第１のシーケンス番号と前記第２のシーケンス番号との対応関係をコアネットワークに送信し、前記コアネットワークが前記第１のシーケンス番号と前記第２のシーケンス番号との対応関係を前記第２の基地局に送信し、又は、
前記第１の基地局がエアインターフェースメッセージを介して前記第１のシーケンス番号と前記第２のシーケンス番号との対応関係を前記第２の基地局に通知する
ことを特徴とする請求項６９に記載のセッション処理装置。
【請求項７８】
前記第１の基地局が前記下りデータパケットを受信した後、前記データパケットから前記第１のシーケンス番号を解析して取得し、エアインターフェースプロトコルにおける一層の第２のシーケンス番号で前記データパケットを並び替え、前記データパケットの前記第１のシーケンス番号と前記第２のシーケンス番号との対応関係を決定する
ことを特徴とする請求項６９に記載のセッション処理装置。
【請求項７９】
前記第２のコアネットワーク要素が前記第１の基地局及び前記第２の基地局に同時送信する同一の下りデータパケットには、第１のシーケンス番号が含まれ、
下りデータ伝送について、前記第１の基地局及び／又は前記第２の基地局が下りデータパケットを受信した後、前記下りデータパケットの前記第１のシーケンス番号が前記端末に伝送され、前記端末が前記下りデータパケットから前記第１のシーケンス番号を解析して取得し、前記第１のシーケンス番号に基づいて前記下りデータパケットを並べ替える
ことを特徴とする請求項６１又は６６に記載のセッション処理装置。
【請求項８０】
前記端末が前記第１の基地局及び前記第２の基地局に同時送信した同一の上りデータパケットには、第１のシーケンス番号が含まれ、
上りデータ伝送について、前記第１の基地局及び／又は前記第２の基地局が上りデータパケットを受信した後、前記上りデータパケットの前記第１のシーケンス番号が前記第２のコアネットワーク要素に伝送され、前記第２のコアネットワーク要素が前記上りデータパケットから前記第１のシーケンス番号を解析して取得し、前記第１のシーケンス番号に基づいて前記上りデータパケットを並び替える
ことを特徴とする請求項６１又は６６に記載のセッション処理装置。
【請求項８１】
前記データパケットの第１のシーケンス番号は、ＰＤＣＰ層又はＳＤＡＰ層又はＧＴＰ層以上のプロトコル層に含まれる
ことを特徴とする請求項７９又は８０に記載のセッション処理装置。
【請求項８２】
前記エアインターフェースデータ無線ベアラが前記第１の基地局から前記第２の基地局に切り替えた後又は在前記第２の基地局側のエアインターフェースデータ無線ベアラが確立された後、前記第２の基地局が端末に下りデータを送信し、前記第２の基地局に前記第２のコアネットワーク要素からの下りデータがキャッシュされた場合、キャッシュされた前記第２のコアネットワーク要素からの下りデータを前記端末に送信する
ことを特徴とする請求項６１〜８１のいずれか１項に記載のセッション処理装置。
【請求項８３】
プロセッサによって実行されると、請求項１〜４１のいずれか１項に記載の方法ステップを実施するコンピュータ実行可能命令を記憶した
ことを特徴とするコンピュータ記憶媒体。
【発明の詳細な説明】
【技術分野】
【０００１】
本願は、無線通信技術分野に関し、特に、セッション処理方法、装置及びコンピュータ記憶媒体に関する。
【背景技術】
【０００２】
現在、同一コアネットワーク内での基地局の間切替はデータ伝送の瞬断を引き起こすが、現在の切替フローは、図１、図２(ａ)、(ｂ)に示すように、ここで、図１はＸｎインターフェースによる切替フローであり、図２ ( ａ )はＮ２インターフェースによる切替準備フローであり、図２(ｂ)はＮ２インターフェースによる切替実行フローである。基地局の間の切替中のデータ伝送の瞬断の要因は、端末が常にシングラジオ( Ｓｉｎｇｌｅ Ｒａｄｉｏ )状態にあり、新しいセッション(目標基地局側のセッション)確立が完了する前に、旧セッション(ソース基地局側のセッション)を切断しなければならず、エアインターフェース側のシングルラジオ切り替えによる遅延や中断が避けられないことである。
【発明の概要】
【０００３】
本願の実施例は、セッション処理方法、装置及びコンピュータ記憶媒体を提供する。
【０００４】
本願の実施例におけるセッション処理方法は、
（ＰＤＵ、Ｐｒｏｔｏｃｏｌ Ｄａｔａ Ｕｎｉｔ）セッション及び／又はＰＤＵセッション内のデータストリームに対して第１のタイプの伝送及び／又は第１のタイプの切替プロセスを行うことを含み、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが１つのセットの指定のサービス品質（ＱｏＳ、Ｑｕａｌｉｔｙ ｏｆ Ｓｅｒｖｉｃｅ）パラメータに対応し、
ここで、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
【０００５】
本願の実施例におけるセッション処理装置は、制御ユニットを含み
制御ユニットは、ＰＤＵセッション及び／又はＰＤＵセッションのデータストリームに対して第１のタイプの伝送及び／又は第１のタイプの切替プロセスを行うように構成され、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、
ここで、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
【０００６】
本願の実施例は、プロセッサによって実行されると、上述したセッション処理方法を実現するコンピュータ実行可能命令を記憶したコンピュータ記憶媒体を提供する。
【０００７】
本願の実施例に係る技術案において、ＰＤＵセッション及び／又はＰＤＵセッションのデータストリームに対して第１のタイプの伝送及び／又は第１のタイプの切替プロセスを行い、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
【０００８】
切替過程において、端末は、シングルラジオまたはデュアルラジオのモードであり、その中断の時間は、エアインターフェース切替の間に限定されるか、または、エアインターフェース切替において全く中断遅延がなく、データプレーン上のコアネットワーク側のリンク(トンネルとも呼ばれる)の確立または変更による追加の遅延および中断を回避し、それによって、基地局の間の切替の高速切替能力を可能にする。
【図面の簡単な説明】
【０００９】
本明細書で説明する図面は、本開示のさらなる理解を提供するために提供され、本開示の一部を構成し、本開示の例示的な実施例およびその説明は、本開示を説明するために使用され、本開示を限定するようには構成されない。
【図１】Ｘｎインターフェースに基づく切替のフローチャートである。
【図２（ａ）】Ｎ２インターフェースに基づく切替準備のフローチャートである
【図２（ｂ）】Ｎ２インターフェースに基づく切替実行のフローチャートである
【図３】本願の実施例におけるセッション処理方法のフローチャートである。
【図４（ａ）】本願の実施例における基地局の間の切替のネットワークアーキテクチャの模式図一である。
【図４（ｂ）】本願の実施例における基地局の間の切替のネットワークアーキテクチャの模式図二である。
【図５】本願の実施例における端末のシングルラジオまたはデュアルラジオのモードにおいて、コアネットワークが変更されなくＮ２インターフェースに基づいく高速切替のフローチャートである。
【図６】本願の実施例における端末のシングルラジオまたはデュアルラジオのモードにおいて、コアネットワークが変更されなくＸｎインターフェースに基づいく高速切替のフローチャートである。
【図７】本願の実施例におけるセッション処理装置の構成図である。
【図８】本願の実施例におけるコンピュータデバイスの構成図である。
【図９】本願の実施例におけるデータパケットの並べ替えの模式図一である。
【図１０】本願の実施例におけるデータパケットの並べ替えの模式図二である。
【発明を実施するための形態】
【００１０】
本願の実施例の特徴及び技術内容をより詳細に理解するために、以下に添付図面を参照して本願の実施例の実施を詳細に説明するが、添付図面は、説明のためのものであり、本願を限定するものではない。
【００１１】
図３は本願の実施例におけるセッション処理方法のフローチャートであるであり、図３に示すように、前記セッション処理方法は、以下のステップを含み、
ステップ３０１において、ＰＤＵセッション及び／又はＰＤＵセッションのデータストリームに対して第１のタイプの伝送及び／又は第１のタイプの切替プロセスを行い、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、ここで、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
【００１２】
ある実施例において、第１のコアネットワーク要素がセッション確立又は修正要求メッセージを受信し、前記セッション確立又は修正要求メッセージにＰＤＵセッションの識別情報及び／又はデータストリーム識別情報及び／又はスライス選択支援情報ＳＮＳＳＡＩ及び／又はＤＮＮ情報が含まれ、前記セッション確立又は修正要求メッセージ内の情報に基づいて前記ＰＤＵセッション及び／又は前記ＰＤＵセッション内のデータストリームに対して第１のタイプの伝送及び／又は第１のタイプの切替プロセスを行うかどうかを決定する。さらに、前記第１のコアネットワーク要素が前記セッション確立又は修正要求メッセージ内のＳＮＳＳＡＩ及び／又はＤＮＮ及び／又は第１のポリシーに基づいて、前記ＰＤＵセッション及び／又は前記ＰＤＵセッション内のデータストリームに対して第１のタイプの伝送及び／又は第１のタイプの切替プロセスを行うかどうかを決定し、
ここで、前記第１のポリシーは、少なくとも１つのセットのＳ−ＮＳＳＡＩ及び／又はＤＮＮと第１の指示情報との対応関係及び／又はポリシーと課金制御（ＰＣＣ、Ｐｏｌｉｃｙ Ｃｏｎｔｒｏｌ ａｎｄ Ｃｈａｒｇｉｎｇ）とのポリシー情報を含み、前記第１の指示情報が第１のタイプの伝送及び／又は第１のタイプの切替プロセスを行うかどうかを指示する。
【００１３】
本願の実施例において、前記セッション確立又は修正要求メッセージに２つのＰＤＵセッション識別情報及び／又はデータストリーム識別情報が含まれ、
前記第１のコアネットワーク要素が前記２つのＰＤＵセッション識別情報及び／又はデータストリーム識別情報に基づいて、前記２つのＰＤＵセッションの全て又は一部のデータストリームに対して前記第１のタイプの伝送及び／又は前記第１のタイプの切替プロセスを行うと決定する。
【００１４】
本願の実施例において、前記端末が２回のセッション確立又は更新要求を開始し、１回目のセッション確立又は修正要求メッセージに第１のセッション識別子が含まれ、２回目のセッション確立又は修正要求メッセージに第１のセッション識別子及び第２のセッション識別子が含まれ、及び／又は、１回目のセッション確立又は修正要求メッセージに第１のデータストリーム識別子が含まれ、２回目のセッション確立又は修正要求メッセージに第１のデータストリーム識別子及び第２のデータストリーム識別子が含まれる。
【００１５】
本願の実施例において、前記ＰＤＵセッション識別子及び／又はデータストリーム識別子には第１の情報が含まれ、前記第１の情報は、第１のタイプの伝送及び／又は第１のタイプの切替プロセスを行うように指示する。
【００１６】
本願の実施例において、第１のコアネットワーク要素は、セッション管理機能(ＳＭＦ、Ｓｅｓｓｉｏｎ Ｍａｎａｇｅｍｅｎｔ Ｆｕｎｃｔｉｏｎ )を意味し、第２のコアネットワーク要素は、ユーザプレーン機能( ＵＰＦ、Ｕｓｅｒ Ｐｌａｎｅ Ｆｕｎｃｔｉｏｎ )を意味し、第３のコアネットワーク要素は、受信コアアクセス及びモビリティ管理( ＡＭＦ、Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ )を意味し、第１の基地局は、端末にサービスを提供しているソース基地局を意味し、第２の基地局は、端末の目標基地局を意味する。
【００１７】
本願の実施例において、第１のタイプの切替プロセスが導入され、第１のタイプの切替が高速切替とも言われる。高速切替は、以下の２つのシーンに応用される
シーン一として、端末のシングルラジオ又はデュアルラジオモードにおいて、コアネットワークが変更されなくＮ２インターフェースに基づいて高速切替を行う。
【００１８】
このシーンにおいて、第３のコアネットワーク要素が前記第１の基地局により送信された切替要求を受信した後、前記第１のコアネットワーク要素が前記第３のコアネットワーク要素により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、ここで、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する。
【００１９】
シーン二として、端末シングルラジオ又はデュアルラジオモードにおいて、コアネットワークが変更されなくＸｎインターフェースに基づいて、高速切替を行う。
【００２０】
このシーンにおいて、前記第１の基地局と前記第２の基地局がエアインターフェース切替を実行する過程において、前記第１のコアネットワーク要素が前記第１の基地局及び／又は前記第２の基地局により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、ここで、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する。
【００２１】
さらに、前記第１の基地局と前記第２の基地局とがエアインターフェース切替を行うことは、前記第１の基地局が前記第２の基地局に切替要求メッセージを送信し、前記第２の基地局が前記第１の基地局に切替返信メッセージを送信し、前記第１の基地局と前記第２の基地局とが端末側のエアインターフェース切替を完了することを含み、ここで、
前記第２の基地局が前記第１の基地局に切替返信メッセージを送信した後、前記第１のコアネットワーク要素が前記第２の基地局により送信されたセッション確立又は修正要求メッセージを受信し、及び／又は、
前記第１の基地局と前記第２の基地局とが端末側のエアインターフェース切替を完了した後、前記第１のコアネットワーク要素が前記第１の基地局により送信されたセッション確立又は修正要求メッセージを受信する。
【００２２】
本願の実施例において、前記第１のタイプの伝送は、低遅延及び/又は高信頼伝送とも称され、低遅延及び/又は高信頼伝送は、ネットワーク側及びＵＥ側が特定のデータパケットについて複数の経路を介してデータコピー型（ｄｕｐｌｉｃａｔｅ）伝送及び/又は関連データパケットの伝送キューに対する高優先伝送を実行するものであり、ここで、前記高優先伝送は、対応するデータストリームが、指定されたＱｏＳパラメータのセットに対応することを意味する。
【００２３】
本願の実施例において、前記エアインターフェースデータ無線ベアラが前記第１の基地局から前記第２の基地局に切り替えることは、
端末のシングルラジオモードにおいて、端末が前記第１の基地局とエアインターフェースデータ無線ベアラを確立している場合、前記エアインターフェースデータ無線ベアラを前記第１の基地局から前記第２の基地局に直接に切り替えること、又は、
端末のデュアルラジオモードにおいて、端末が前記第１の基地局とエアインターフェースデータ無線ベアラを確立している場合、前記第２の基地局とのエアインターフェースデータ無線ベアラを確立してから、前記第１の基地局側のエアインターフェースデータ無線ベアラを解放することを含む。
【００２４】
ここで、上記のシーンについて、前記第２のコアネットワーク要素が前記第１の基地局との第１の経路を解放することは、端末が前記第１の基地局側のＰＤＵセッションを解放する要求メッセージを前記第１のコアネットワーク要素に送信して、前記第１のコアネットワーク要素が前記第２のコアネットワーク要素が前記第１の基地局側のＰＤＵセッションを解放するようにトリガーすること、又は、前記第１のコアネットワークが、前記第２のコアネットワーク要素が前記第１の基地局側のＰＤＵセッションを解放するようにトリガーすることを含む。
【００２５】
ここで、上記のシーン二について、前記第２のコアネットワーク要素が前記第１の基地局との第１の経路を解放することは、前記第２の基地局が第３のコアネットワーク要素に経路切替要求メッセージを送信し、前記第３のコアネットワーク要素が前記第１のコアネットワーク要素にセッション修正要求メッセージを送信し、前記第１のコアネットワークが、前記第２のコアネットワーク要素が前記第１の基地局側のＰＤＵセッションを解放するようにトリガーすることを含む。
【００２６】
上記の技術案において、前記ＰＤＵセッション識別情報及び／又はデータストリーム識別情報は、第１のタイプの切替を実行するかどうかを指示する。
【００２７】
本願の実施例における第１のタイプの切替プロセス(高速切替プロセスともいう)は、図４ ( ａ )及び図４ ( ｂ )を参照すると、ソース基地局(基地局１ )から目標基地局(基地局２ )へのエアインターフェースデータ無線ベアラ（エアインターフェースＤＲＢ）の切替完了する前に、コアネットワーク側( ５ ＧＣ )がデータプレーンのＵＰＦと基地局１及び基地局２とのリンク確立を完了し、同時に下りデータストリームを基地局１及び基地局２に送信し、図４ ( ａ )及び図４ ( ｂ )において、実線はデータプレーンであり、破線矢印はデータ伝送の方向(上り、下り、又は上り下り)である。
【００２８】
図４ ( ａ )に示すように、高速切替処理では、端末は、ずっとシングルラジオモードであり、その中断の時間は、エアインターフェース切替過程に限定され、コアネットワーク側データリンク確立/修正による余分な遅延および中断は回避される。
【００２９】
図４ ( ｂ )に示すように、高速切替手順では、端末はデュアルラジオモードであり、エアインターフェース切替手順は、基地局２側のエアインターフェース情報無線ベアラを先に確立し、エアインターフェース切替プロセスに「確立してから切替」仕組みを採用しており、即ち、基地局２側のエアインターフェースデータ無線ベアラを確立してから、端末のエアインターフェースデータ無線ベアラを基地局１から基地局２に切り替え、このエアインターフェース切替プロセスは、全過程で中断遅延を有しないとともに、コアネットワーク側のデータリンク確立/修正による余分な遅延や中断も回避している。
【００３０】
本願の実施例において、第１のポリシー（「高速切替」ポリシーとも言われ）が導入され、前記第１のコアネットワーク要素が前記ＰＤＵセッションの識別情報及び第１のポリシーに基づいて、前記ＰＤＵセッション及び／又は前記ＰＤＵセッション内のデータストリームに対して第１のタイプの伝送及び／又は第１のタイプの切替プロセスを行うかどうかを決定する。ここで、前記第１のポリシーが少なくとも１つのセットのＳ−ＮＳＳＡＩ及び／又はＤＮＮと第１の指示情報との対応関係及び／又はＰＣＣポリシー情報を含み、前記第１の指示情報が第１のタイプの伝送及び／又は第１のタイプの切替プロセスを行うかどうかを指示する。ある例において、第１のポリシーは、表１に示すように、
【表１】
2021525015.tif 000003
【００３１】
これにより、前記第１のコアネットワーク要素が前記セッション確立又は修正要求メッセージ内のＳＮＳＳＡＩ及び／又はＤＮＮ及び前記第１のポリシーに基づいて、前記Ｓ-ＮＳＳＡＩ及び／又はＤＮＮに対応する第１の指示情報を決定し、前記第１の指示情報に基づいて、前記ＰＤＵセッション及び／又は前記ＰＤＵセッション内のデータストリームに対して第１のタイプの伝送及び／又は第１のタイプの切替プロセスを行うかどうかを決定する。
【００３２】
さらに、前記第１のコアネットワーク要素が前記ＰＤＵセッションの識別情報及び／又はデータストリーム識別情報と前記第１のタイプの伝送及び／又は第１のタイプの切替プロセスの実行の要否との対応関係を記憶し、その後の切替の過程において、第１のコアネットワーク要素（即ちＳＭＦ）が切替要求を毎回受信した後、ローカルに記憶されたＰＤＵセッションの識別情報及び／又はデータストリーム識別情報と前記第１のタイプの伝送及び／又は第１のタイプの切替プロセスの実行の要否との対応関係に基づいて、ＰＤＵセッション及び／又は前記ＰＤＵセッション内のデータストリームに対して第１のタイプの伝送及び／又は第１のタイプの切替プロセスを行うかどうかを決定する。
【００３３】
さらに、前記第１のコアネットワーク要素が前記ＰＤＵセッション及び／又は前記ＰＤＵセッション内のデータストリームに対して第１のタイプの伝送及び／又は第１のタイプの切替プロセスを行うことを基地局に通知する。このように、第１のタイプの伝送過程において、基地局は、前記セッション及び／又はデータストリームに対応するデータパケットに対してエアインターフェースの処理を行い、例えば、最適な再送信機構、タイマ時間調整などであり、第１のタイプの切替プロセスにおいて、基地局がこのセッション及び／又はデータストリームに対してデータ転送処理を行わない。
【００３４】
本願の実施例において、前記第１のポリシーは、契約情報データベース( ＵＤＭ )、ポリシー制御ネットワーク要素( ＰＣＦ )、前記第１のコアネットワーク要素の少なくとも１つのネットワーク要素に構成される。具体的には、前記第１のポリシーは、ユーザ粒度に基づいてネットワーク側のＵＤＭ及びポリシーＰＣＦに構成されてもよく、又は、静的にＳＭＦに構成されてもよく、ＰＤＵセッションの確立/変更の度に、ＳＭＦは、この第１のポリシーに従って現在のＰＤＵセッション及び/又はその中のデータストリームの一部を高速切替を行うかどうかを決定する。
【００３５】
さらに、前記第１のコアネットワーク要素が前記セッション確立又は修正要求メッセージ内の情報及び／又は第１のポリシー及び／又は前記ＰＤＵセッション内のデータストリームのＱｏＳパラメータに基づいて、前記ＰＤＵセッション及び／又は前記ＰＤＵセッション内のデータストリームに対して第１のタイプの伝送及び／又は第１のタイプの切替プロセスを行うかどうかを決定する。具体的には、ＳＭＦが第１のタイプの切替を行うかどうかを決定する根拠は、第１のポリシーに加えて、データストリームのＱｏＳパラメータを考慮して、例えば、部分的に特定された５ＱIの値であるデータストリームが優先的に高速に切替えることができる。ＰＤＵセッション確立/変更の過程で、ＳＭＦは、該当ＰＤＵセッション又はその中の一部のデータストリームが「高速切替」を実行するか否かを決定した後、ＰＤＵセッションＩＤと高速切替ポリシーとの関連関係をローカルに記憶し、切替の度に、切り替えたＰＤＵセッションＩＤに基づいて高速切替を実行するか否かを判断することができる。
【００３６】
本願の実施例において、前記第１のタイプの切替プロセスにおいて、１）前記第１の基地局側の第１の経路と前記第２の基地局側の第２の経路に同一のＩＰアドレスを割り当て、前記第１の基地局側のＰＤＵセッションと前記第２の基地局側のＰＤＵセッションとが同じデータストリーム及びＱｏＳポリシーに対応する。又は、２）前記第１の基地局側の第１の経路と前記第２の基地局側の第２の経路に異なるＩＰアドレスを割り当て、前記第１の基地局側のＰＤＵセッションと前記第２の基地局側のＰＤＵセッションとが同じデータストリーム及びＱｏＳポリシーに対応する。
【００３７】
データ伝送について、前記第１のタイプの切替プロセスにおいて前記第２のコアネットワーク要素が前記第１の基地局との第１の経路の確立及び前記第２の基地局との第２の経路の確立を完了した後、下り方向において前記第１の基地局及び前記第２の基地局に同一のデータを同時送信し、及び／又は、上り方向において前記第１の基地局及び前記第２の基地局により送信された同一のデータを受信し、ある例において、前記第１の経路と前記第２の経路とが同一のＰＤＵセッションに属する。前記第２の基地局が前記第２の経路を介して前記第２のコアネットワーク要素により送信された下りデータを受信した後、前記エアインターフェースデータ無線ベアラが前記第１の基地局から前記第２の基地局に切り替える前又は前記第２の基地局側のエアインターフェースデータ無線ベアラが確立する前に、前記下りデータをキャッシュ又は破棄する。前記エアインターフェースデータ無線ベアラが前記第１の基地局から前記第２の基地局に切り替えた後又は在前記第２の基地局側のエアインターフェースデータ無線ベアラが確立された後、前記第２の基地局が端末に下りデータを送信し、ここで、前記第２の基地局に前記第２のコアネットワーク要素からの下りデータがキャッシュされた場合、キャッシュされた前記第２のコアネットワーク要素からの下りデータを前記端末に送信する。
【００３８】
本願の実施例において、前記コピー型伝送は、２つの異なる経路において同じデータを伝送することである。さらに、前記２つの異なる経路において同じデータを伝送することは、コアネットワーク側で、同一の第２のコアネットワーク要素が２つの異なる経路において同じデータを伝送し、又は、２つの異なる第２のコアネットワーク要素が２つの異なる経路において同じデータを伝送することと、アクセスネットワーク側で、同じ基地局の２つの異なるデータベアラに同じデータが伝送され、又は、２つの異なる基地局の２つの異なるデータベアラに同じデータが伝送されることとを含む。さらに、前記異なる経路のＩＰアドレスが異なり又は同じ、前記異なる経路のデータストリームとＱｏＳポリシーが異なり又は同じである。
【００３９】
以上、データベアラが接続及び／又はリンクを指し、異なるデータベアラは、ユーザプレーンの異なる接続及び/又はリンクを指す。
【００４０】
ある例において、コアネットワーク側で同一の第２のコアネットワーク要素が２つの異なる経路において同じデータを伝送し、アクセスネットワーク側で２つの異なる基地局の２つの異なるデータベアラに同じデータが伝送される場合、前記第２のコアネットワーク要素が前記第１の基地局及び前記第２の基地局に同一の下りデータパケットを同時送信する。
【００４１】
以上の技術案において、異なる経路において伝送されるデータのデータストリーム識別子が同じである。又は、異なる経路において伝送されるデータのデータストリーム識別子が異なる。
【００４２】
本願の実施例では、同一の下りデータの端末側での順序付けられた受信、または上りデータの第２のコアネットワーク側での順序付けられた受信を如何に保障するかは、以下のように実現されてもよい。
【００４３】
１）前記第２のコアネットワーク要素が前記第１の基地局及び前記第２の基地局に同時送信する同一の下りデータパケットには、第１のシーケンス番号が含まれ、ここで、下りデータ伝送について、前記第１の基地局が下りデータパケットのコアネットワークプロトコルにおける一層の第１のシーケンス番号とエアインターフェースプロトコルにおける一層の第２のシーケンス番号との対応関係を前記第２の基地局に通知し、前記第２の基地局が受信したデータパケットから前記コアネットワークプロトコルにおける一層の第１のシーケンス番号を解析して取得し、前記第１のシーケンス番号と前記第２のシーケンス番号との対応関係に基づいて前記第１のシーケンス番号に対応する前記第２のシーケンス番号を端末に送信し、前記端末が前記第２のシーケンス番号に基づいて前記データパケットを並び替え、
ここで、前記第２の基地局が下り方向において受信したデータパケット内の第１のシーケンス番号が前記対応関係の第１のシーケンス番号と異なる場合、前記第２の基地局が前記対応関係に基づいて前記データパケットの第１のシーケンス番号に対応する第２のシーケンス番号を計算する。
【００４４】
具体的には、第２の基地局が下り受信するＧＴＰ−Ｕ層のＳＮ値が、第１の基地局からの対応関係におけるＧＴＰ−Ｕ層のＳＮ値と異なる場合(例えば、第２の基地局が前記対応関係と下りデータパケットを受信する間に、第１の基地局において一部のデータパケットが伝送され、第２の基地局が受信したデータパケットのＧＴＰ−Ｕ層のＳＮ値が、前記対応関係におけるＧＴＰ−Ｕ層のＳＮ値と異なる場合)、第２の基地局がデータパケットのＧＴＰ−Ｕ層のＳＮ値とエアインターフェースプロトコル層のＳＮとの対応関係を自ら導出する必要がある。例えば、下り方向については、第１の基地局が受信したデータパケットのＧＴＰ−Ｕ ＳＮ＝１００、該ＧＴＰ−Ｕ ＳＮに対応するＰＤＣＰ ＳＮ＝１２５、第２の基地局が受信した下りデータパケットのＧＴＰ−Ｕ ＳＮ＝１４５であり、第２の基地局は、該下りデータパケットのＰＤＣＰ ＳＮ＝１２５ + ( １４５-１００ )＝１６０を導出することができる。
【００４５】
上記の技術案において、前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する。
【００４６】
具体的に実施する場合、切替シーンでは、図６に示す切替準備段階における切替要求( ｈａｎｄｏｖｅｒ ｒｅｑｕｉｒｅｄ )メッセージのコンテナに前記対応関係を付加してもよいし、図５に示す切替準備段階における切替要求( ｈａｎｄｏｖｅｒ ｒｅｑｕｅｓｔ )メッセージに新たなパラメータを付加して前記対応関係を表してもよい。
【００４７】
前記端末が前記第１の基地局と前記第２の基地局に同時に送信する同一上りデータパケットには、第２のシーケンス番号が含まれ、ここで、上りデータ伝送について、前記第１の基地局が上りデータパケットのエアインターフェースプロトコルにおける一層の第２のシーケンス番号とコアネットワークプロトコルにおける一層の第１のシーケンス番号との対応関係を前記第２の基地局に通知し、前記第２の基地局が受信したデータパケットから前記エアインターフェースプロトコルにおける一層の第２のシーケンス番号を解析して取得し、前記第２のシーケンス番号と前記第１のシーケンス番号との対応関係に基づいて前記第２のシーケンス番号に対応する前記第１のシーケンス番号を第２のコアネットワーク要素に送信し、前記第２のコアネットワーク要素が前記第１のシーケンス番号に基づいて前記データパケットを並び替える。
【００４８】
ここで、前記第２の基地局が上り方向において受信したデータパケットの第２のシーケンス番号が前記対応関係の第２のシーケンス番号と異なる場合、前記第２の基地局が前記対応関係に基づいて前記データパケットの第２のシーケンス番号に対応する第１のシーケンス番号を計算する。
【００４９】
具体的には、第２の基地局が上り受信するエアインターフェース層(例えばＰＤＣＰ層)のＳＮ値が第１の基地局からの対応関係におけるエアインターフェース層のＳＮ値と異なる場合、第２の基地局がデータパケットのエアインターフェース層のＳＮ値とＧＴＰ−Ｕ層のＳＮとの対応関係を自ら導出する必要がある。例えば、上り方向については、第１の基地局が受信したデータパケットのＰＤＣＰ ＳＮ＝１２５、該ＰＤＣＰ ＳＮに対応するＧＴＰ−Ｕ ＳＮ＝１００であり、第２の基地局が上りデータパケットＰＤＣＰ ＳＮ＝１６０を受信すると、第２の基地局は、該上りデータパケットのＧＴＰ−Ｕ ＳＮ＝１６０＋( １００-１２５ )＝１４５を導出することができる。
【００５０】
以上の技術案において、前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する。
【００５１】
具体的に、切替シーンでは、図６に示す切替準備段階における切替要求( ｈａｎｄｏｖｅｒ ｒｅｑｕｉｒｅｄ )メッセージのコンテナに前記対応関係を付加してもよいし、図５に示す切替準備段階における切替要求( ｈａｎｄｏｖｅｒ ｒｅｑｕｅｓｔ )メッセージに新たなパラメータを付加して前記対応関係を表してもよい。
【００５２】
ここで、前記エアインターフェースプロトコルにおける一層がＰＤＣＰ層及び／又はサービスデータ適合プロトコル（ＳＤＡＰ、Ｓｅｒｖｉｃｅ Ｄａｔａ Ａｄａｐｔａｔｉｏｎ Ｐｒｏｔｏｃｏｌ）層を含み、前記コアネットワークプロトコルにおける一層がＧＰＲＳチャネルプロトコル（ＧＴＰ、ＧＰＲＳ Ｔｕｎｎｅｌｌｉｎｇ Ｐｒｏｔｏｃｏｌ）層を含む。在前記ＰＤＣＰ層に第２のシーケンス番号を追加する場合、コアネットワークユーザプレーン冗長伝送のデータストリームに対応するエアインターフェースデータ無線ベアラが、他のデータストリームを伝送しない。これにより、ＰＤＣＰ ＳＮとＧＴＰ−Ｕ ＳＮとの対応関係が崩れることを回避することができる。
【００５３】
さらに、前記第１の基地局がＸｎインターフェースを介して前記第１のシーケンス番号と前記第２のシーケンス番号との対応関係を前記第２の基地局に通知し、又は、前記第１の基地局がＮ２インターフェースを介して前記第１のシーケンス番号と前記第２のシーケンス番号との対応関係をコアネットワークに送信し、前記コアネットワークが前記第１のシーケンス番号と前記第２のシーケンス番号との対応関係を前記第２の基地局に送信し、又は、前記第１の基地局がエアインターフェースメッセージを介して前記第１のシーケンス番号と前記第２のシーケンス番号との対応関係を前記第２の基地局に通知する。
【００５４】
ここで、前記第１の基地局が前記下りデータパケットを受信した後、前記データパケットから前記第１のシーケンス番号を解析して取得し、エアインターフェースプロトコルにおける一層の第２のシーケンス番号で前記データパケットを並び替え、前記データパケットの前記第１のシーケンス番号と前記第２のシーケンス番号との対応関係を決定する。
【００５５】
又は、
２）前記第２のコアネットワーク要素が前記第１の基地局及び前記第２の基地局に同時送信する同一の下りデータパケットには、第１のシーケンス番号が含まれ、ここで、下りデータ伝送について、前記第１の基地局及び／又は前記第２の基地局が下りデータパケットを受信した後、前記下りデータパケットの前記第１のシーケンス番号が前記端末に伝送され、前記端末が前記下りデータパケットから前記第１のシーケンス番号を解析して取得し、前記第１のシーケンス番号に基づいて前記下りデータパケットを並べ替える、前記端末が前記第１の基地局及び前記第２の基地局に送信した同一の上りデータパケットには、第１のシーケンス番号が含まれ、ここで、上りデータ伝送について、前記第１の基地局及び／又は前記第２の基地局が上りデータパケットを受信した後、前記上りデータパケットの前記第１のシーケンス番号が前記第２のコアネットワーク要素に伝送され、前記第２のコアネットワーク要素が前記上りデータパケットから前記第１のシーケンス番号を解析して取得し、前記第１のシーケンス番号に基づいて前記上りデータパケットを並び替える。
【００５６】
ここで、前記データパケットの第１のシーケンス番号は、ＰＤＣＰ層又はＳＤＡＰ層又はＧＴＰ層以上のプロトコル層に含まれる。
【００５７】
以下、高速切替の２つのシーンを参照し、本願の実施例の技術案を説明する。
【００５８】
図５は本願の実施例における端末シングルラジオ又はデュアルラジオモードにおいて、コアネットワークが変更されなくＮ２インターフェースに基づいて高速切替を行うフローチャートであり、図５に示すように、以下のステップを含む。
【００５９】
ステップ５０１において、ソース基地局がＡＭＦ／ＭＭＥに切替要求メッセージを送信する。
【００６０】
ここで、切替要求メッセージにＰＤＵセッションＩＤ、目標基地局ＩＤが含まれる。さらに、切替要求メッセージに含まれるＰＤＵセッションＩＤがソース基地局側のＰＤＵセッションＩＤと同じ、又は、切替要求メッセージにソース基地局側のＰＤＵセッションＩＤと異なるＰＤＵセッションＩＤが含まれるが、ソース基地局側のＰＤＵセッションＩＤ（即ち現在セッションＩＤ）との関連関係を指示する必要がある。
【００６１】
ステップ５０２において、ＡＭＦ／ＭＭＥがＳＭＦ／ＰＧＷ−Ｃにセッション修正要求メッセージを送信する。
【００６２】
ここで、セッション修正要求メッセージにＰＤＵセッションＩＤ、目標基地局ＩＤが含まれる。
【００６３】
ステップ５０３において、ＵＰＦ／ＰＧＷ−ＵとＳＭＦ／ＰＧＷ−Ｃとがセッション更新を行い、目標基地局側のセッションリソースの準備を完了する。
【００６４】
ここで、コアネットワークがセッション確立/更新過程において、
１） 「高速切替」を行う必要があるセッションについて、目標基地局側とソース基地局側のリンクに同じＩＰアドレスを割り当て、即ち、２つのリンクを同じＰＤＵセッションとし、ソース基地局のセッション１と目標基地局のセッション２が同様のＦｌｏｗを行い、同様のＱｏＳポリシーを実行する。又は、
２） 「高速切替」を行う必要があるセッションについて、目標基地局側とソース基地局側のリンクに２つのＩＰアドレスを割り当て、ソース基地局のセッション１と目標基地局のセッション２が同様のＦｌｏｗを行い、同様のＱｏＳポリシーを実行する。
【００６５】
ステップ５０４において、ＳＭＦ／ＰＧＷ−Ｃが目標基地局にセッション確立要求メッセージを送信する。
【００６６】
ここで、セッション確立要求にＰＤＵセッションＩＤ及びＦｌｏｗリストが含まれる。
【００６７】
ステップ５０５において、目標基地局がＳＭＦ／ＰＧＷ−Ｃにセッション確立要求返信メッセージを送信する。
【００６８】
ここで、セッション確立要求返信メッセージに受諾/拒否のＰＤＵセッションＩＤ及びＦｌｏｗリストが含まれる。
【００６９】
ステップ５０６において、ＳＭＦ／ＰＧＷ−ＣとＵＰＦ／ＰＧＷ−Ｕとがセッション更新を行い、目標基地局側の返信に基づいてセッション更新を行う。
【００７０】
ステップ５０７において、ＳＭＦ／ＰＧＷ−ＣがＡＭＦ／ＭＭＥにセッション更新要求返信メッセージを送信する。
【００７１】
ステップ５０８において、ＡＭＦ／ＭＭＥがソース基地局に切替命令を送信する。
【００７２】
ステップ５０９において、ＵＰＦ／ＰＧＷ−Ｕがソース基地局と目標基地局に下りデータを同時に伝送する。
【００７３】
ここで、ＵＰＦ／ＰＧＷ−Ｕがステップ５０５を完了した後、ソース基地局と目標基地局とにデータを直接伝送し、ここで、２つの基地局が同じデータをコピーして伝送することができる（ステップ５０８と並行して実行する）。
【００７４】
ステップ５１０において、目標基地局がエアインターフェースデータ無線ベアラを確立する前に、下りデータをキャシュ又は廃棄する。
【００７５】
目標基地局が下りデータを受信した後、現在ＵＥとのＤＲＢ接続が確立されていないので、ステップ５１１で切替が完了するまで、データパケットをキャッシュまたは破棄することができる。
【００７６】
ステップ５１１において、ソース基地局が切替プロセスをトリガーする。
【００７７】
ステップ５１２において、ＵＥが目標基地局に切替完了通知メッセージを送信する。
【００７８】
ステップ５１３において、目標基地局側のエアインターフェースデータ無線ベアラ確立が完了し、下りデータをＵＥに送信する。
【００７９】
ここで、目標基地局は、切替完了通知メッセージを受信し、または、目標基地局がエアインターフェースデータ無線ベアラを確立した後、ＵＥに下りデータを送信し始め、ＵＰＦからの下りデータが先にキャッシュされていればＵＥにも送信する。
【００８０】
ステップ５１４において、目標基地局がＳＭＦ／ＰＧＷ−Ｃに切替完了通知メッセージを送信する。
【００８１】
ステップ５１５において、ＳＭＦ／ＰＧＷ−ＣとＵＰＦ／ＰＧＷ−Ｕとがセッション更新（選択可能）を行う。
【００８２】
ステップ５１６ａにおいて、ＵＥがＳＭＦ／ＰＧＷ−Ｃに解放ソース基地局側のセッション要求メッセージを送信する。
【００８３】
ステップ５１６ｂにおいて、ＳＭＦ／ＰＧＷ−Ｃ側がソース基地局側のセッション解放をトリガーする。
【００８４】
ここで、解放ソース基地局側のセッションは、ステップ５１６ａ及び／又はステップ５１６ｂで実現される。
【００８５】
図６は本願の実施例における端末のシングルラジオ又はデュアルラジオモードにおいて、コアネットワークが変更されなくＸｎインターフェースに基づいて高速切替を実現するフローチャートであり、図６に示すように、以下のステップを含む。
【００８６】
ステップ６０１において、ソース基地局と目標基地局とがエアインターフェース切替プロセスを行う。
【００８７】
具体的に、ソース基地局が目標基地局に切替要求メッセージを送信し、目標基地局がソース基地局に切替返信メッセージを送信し、ソース基地局と目標基地局とがＵＥエアインターフェース切替をトリガーする。
【００８８】
ステップ６０２において、コアネットワーク側が目標基地局側のセッション確立プロセスを行う。
【００８９】
このステップは、
６０２ａにおいて、目標基地局がＳＭＦ／ＰＧＷ−Ｃにセッション確立/修正要求メッセージを送信することを含む。
【００９０】
ここで、セッション確立/修正要求メッセージに第１の指示情報、確立するＰＤＵセッションＩＤが含まれる。
【００９１】
ここで、第１の指示情報は、ＰＤＵセッションＩＤに対応するＰＤＵセッションが高速切替を行うかどうかを示す。
【００９２】
６０２ｂにおいて、ソース基地局がＳＭＦ／ＰＧＷ−Ｃにセッション確立/修正要求メッセージを送信する（即ち、切替要求メッセージ）。
【００９３】
ここで、セッション確立/修正要求メッセージに第１の指示情報、確立するＰＤＵセッションＩＤ、目標基地局ＩＤが含まれる。
【００９４】
ここで、第１の指示情報は、ＰＤＵセッションＩＤに対応するＰＤＵセッションが高速切替を行うかどうかを示す。
【００９５】
６０２ｃにおいて、ＳＭＦ／ＰＧＷ−ＣとＵＰＦ／ＰＧＷ−Ｕとがセッション確立/更新を行い、ＵＰＦ／ＰＧＷ−Ｕが目標基地局側とのリンクを確立する。
【００９６】
６０２ｄにおいて、ＳＭＦ／ＰＧＷ−Ｃが目標基地局にセッション確立/修正要求メッセージを送信する。
【００９７】
ここで、６０２ｂが実行する場合、６０２ｄを実行する必要があり、ＵＰＦ／ＰＧＷ−Ｕと目標基地局側とのリンクの確立を完了する。
【００９８】
ここで、コアネットワーク側のセッション確立プロセスとアクセスネットワーク側のエアインターフェース切替プロセスが並行して実行され、エアインターフェース切替プロセス（あるステップの後、例えば、切替返信メッセージの後）において、目標基地局又はソース基地局がセッション確立/更新要求をコアネットワークに送信する。
【００９９】
ここで、コアネットワークがセッション確立/更新プロセスにおいて、
１）「高速切替」を行う必要があるセッションについて、目標基地局側とソース基地局側のリンクに同じＩＰアドレスを割り当て、即ち、２つのリンクを同一のＰＤＵセッションとし、ソース基地局のセッション１と目標基地局のセッション２が同様のＦｌｏｗを実行し、同様のＱｏＳポリシーを実行する。又は、
２）「高速切替」を行う必要があるセッションについて、目標基地局側とソース基地局側のリンクに２つのＩＰアドレスを割り当て、ソース基地局のセッション１と目標基地局のセッション２が同様のＦｌｏｗを実行し、同様のＱｏＳポリシーを実行する。
【０１００】
ステップ６０３において、目標基地局がエアインターフェース切替が完了する前に、又は、目標基地局がエアインターフェースデータ無線ベアラが確立する前に、受信した下りデータをキャッシュ又は廃棄し、エアインターフェース切替が完了した後、又は目標基地局側のエアインターフェースデータ無線ベアラが確立した後、下りデータをＵＥに送信する。
【０１０１】
目標基地局が下りデータを受信した後、現在ＵＥのＤＲＢと接続確立していないので、ステップ６０４で切替が完了してＤＲＢが確立するまで、データパケットをキャッシュまたは破棄し、ＵＥに下りデータを送信し始め、ＵＰＦからの下りデータが以前にキャッシュされていればＵＥにも送信する。
【０１０２】
ステップ６０４において、ＵＥが目標基地局に切替完了メッセージを送信する。
【０１０３】
ステップ６０５において、目標基地局がＡＭＦ／ＭＭＥに経路切替要求メッセージを送信する。
【０１０４】
ステップ６０６において、ＡＭＦ／ＭＭＥがＳＭＦ／ＰＧＷ−Ｃにセッション修正要求メッセージを送信する。
【０１０５】
ステップ６０７において、ＳＭＦ／ＰＧＷ−Ｃは、ＵＰＦ／ＰＧＷ−Ｕがセッション更新を行い、ソース基地局側のＰＤＵセッションを削除するようにトリガーする。
【０１０６】
図５および図６に示すフローでは、いずれもＵＰＦがソース基地局および目標基地局に重複（ｄｕｐｌｉｃａｔｅ）データを送信する場合を含んでおり、重複するデータがＵＥ側で正しく並べ替えられることを保証するために、データパケットにシーケンス番号( ＳＮ、Ｓｅｑｕｅｎｃｅ Ｎｕｍｂｅｒ )が付され、エアインターフェースがシングルラジオまたはデュアルラジオの切替が適用される。具体的には、以下の２つの方法がある。
【０１０７】
１) 付加されたＳＮはＲＡＮ基地局側で解析し、さらにＰＤＣＰ層のＳＮによってｄｕｐｌｉｃａｔｅデータパケットを並べ替えることが実現される。具体的には、ＵＰＦから基地局間のデータパケットは既存プロトコル層でＳＮを付加してＧＴＰ−Ｕデータパケットでもよく、ソース基地局( ＲＡＮ ｎｏｄｅ-１ )が最初のｄｕｐｌｉｃａｔｅデータパケットを受信した後、ソース基地局は目標基地局( ＲＡＮ ｎｏｄｅ-２ )にＰＤＣＰ層での最初のｄｕｐｌｉｃａｔｅデータパケットのＳＮ ( ＰＤＣＰ ＳＮと略記)とＧＴＰ−ＵのＳＮ ( ＧＴＰ ＳＮと略記)との対応関係を送信し、目標基地局はこれに応じて、図９に示すように、最初のｄｕｐｌｉｃａｔｅデータパケットのＰＤＣＰのＳＮとソース基地局が現在使用しているＰＤＣＰのＳＮ値とを一致させ、後続して送信するＳＮ値は同期を保つようにしてもよい。
【０１０８】
ここで、ｄｕｐｌｉｃａｔｅデータパケットのＰＤＣＰ ＳＮとＧＴＰ ＳＮの対応関係について、ＲＡＮ ｎｏｄｅ-１がＲＡＮ ｎｏｄｅ-２に通知する方式には、以下の３種類がある
Ｎｏｄｅ-１がＸｎインターフェースを介してＮｏｄｅ-２に通知し、
Ｎｏｄｅ-１がＮ２インターフェースをコアネットワークに送信し、コアネットワークがＮｏｄｅ-２に送信し、
Ｎｏｄｅ-１がエアインターフェースメッセージ（例えば、ＲＲＣ Ｃｏｎｎｅｃｔｉｏｎ Ｒｅｃｏｎｆｉｇ）を介してＮｏｄｅ-２に通知する。
【０１０９】
２) 追加したＳＮはＲＡＮ基地局側でＵＥにパススルーし、追加したＳＮをＧＴＰ−Ｕプロトコル層に含めても良い。下りデータについては、ＵＰＦでｄｕｐｌｉｃａｔｅデータパケットを送信する際に、ＳＮを直接ＵＥにパススルーし、ＵＥで層データパケットのＳＮを解析してデータパケットの並び替えを行い、上りデータについては、図１０に示すように、同じくＵＥがｄｕｐｌｉｃａｔｅデータパケットを送信してＵＰＦで解析している。
【０１１０】
図７は本願の実施例におけるセッション処理装置の構成図であり、図７に示すように、前記セッション処理装置は、制御ユニット７００を含み、
制御ユニット７００は、ＰＤＵセッション及び／又はＰＤＵセッションのデータストリームに対して第１のタイプの伝送及び／又は第１のタイプの切替プロセスを行うように構成され、ここで、前記第１のタイプの伝送は、ネットワーク側と端末側とが複数の経路を介してデータパケットに対してデータコピー型伝送を行い、及び／又は、データパケットに対して第１の優先度の伝送を行うことを含み、前記第１の優先度の伝送は、伝送するデータストリームが指定された１つのセットのＱｏＳパラメータに対応することであり、
ここで、前記第１のタイプの切替プロセスは、エアインターフェースデータ無線ベアラが第１の基地局から第２の基地局に切り替える前に、第２のコアネットワーク要素が前記第１の基地局との第１の経路の確立及び前記第２の基地局との第２の経路の確立を完了し、前記エアインターフェースデータ無線ベアラが前記第１の基地局から前記第２の基地局に切り替えた後、前記第２のコアネットワーク要素が前記第１の基地局との第１の経路を解放することを含む。
【０１１１】
ある実施例において、前記エアインターフェースデータ無線ベアラが前記第１の基地局から前記第２の基地局に切り替えることは、
端末が前記第１の基地局とエアインターフェースデータ無線ベアラを確立している場合、前記エアインターフェースデータ無線ベアラを前記第１の基地局から前記第２の基地局に直接に切り替えること、又は、
端末が前記第１の基地局とエアインターフェースデータ無線ベアラを確立している場合、前記第２の基地局とのエアインターフェースデータ無線ベアラを確立してから、前記第１の基地局側のエアインターフェースデータ無線ベアラを解放することを含む。
【０１１２】
ある実施例において、前記装置は、さらに、受信ユニット７０１を含み、第３のコアネットワーク要素が前記第１の基地局により送信された切替要求を受信した後、前記受信ユニット７０１は、前記第３のコアネットワーク要素により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、ここで、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する。
【０１１３】
ある実施例において、前記第２のコアネットワーク要素が前記第１の基地局との第１の経路を解放することは、
端末が前記第１の基地局側のＰＤＵセッションを解放する要求メッセージを前記第１のコアネットワーク要素に送信して、前記第１のコアネットワーク要素が前記第２のコアネットワーク要素が前記第１の基地局側のＰＤＵセッションを解放するようにトリガーすること、又は、
前記第１のコアネットワークが、前記第２のコアネットワーク要素が前記第１の基地局側のＰＤＵセッションを解放するようにトリガーすることを含む。
【０１１４】
ある実施例において、前記装置は、さらに、受信ユニット７０１を含み、前記第１の基地局と前記第２の基地局がエアインターフェース切替を実行する過程において、前記受信ユニット７０１は、前記第１の基地局及び／又は前記第２の基地局により送信されたセッション確立又は修正要求メッセージを受信し、前記切替要求メッセージにＰＤＵセッションの識別情報及び／又はデータストリーム識別情報が含まれ、前記セッション確立又は修正要求メッセージにＰＤＵセッションの識別情報及び／又はデータストリーム識別情報が含まれ、ここで、
前記ＰＤＵセッションの識別情報が前記第１の基地局側のＰＤＵセッションの識別情報及び／又は少なくとも１つの第２のＰＤＵセッションの識別情報を含み、前記少なくとも１つの第２のＰＤＵセッションと前記第１の基地局側のＰＤＵセッションとが第１の関連関係を有する。
【０１１５】
ある実施例において、前記第１の基地局と前記第２の基地局とがエアインターフェース切替を行うことは、前記第１の基地局が前記第２の基地局に切替要求メッセージを送信し、前記第２の基地局が前記第１の基地局に切替返信メッセージを送信し、前記第１の基地局と前記第２の基地局とが端末側のエアインターフェース切替を完了することを含み、ここで、
前記第２の基地局が前記第１の基地局に切替返信メッセージを送信した後、前記受信ユニット７０１は、前記第２の基地局により送信されたセッション確立又は修正要求メッセージを受信し、及び／又は、
前記第１の基地局と前記第２の基地局とが端末側のエアインターフェース切替を完了した後、前記受信ユニット７０１は、前記第１の基地局により送信されたセッション確立又は修正要求メッセージを受信する。
【０１１６】
ある実施例において、前記第２のコアネットワーク要素が前記第１の基地局との第１の経路を解放することは、
前記第２の基地局が第３のコアネットワーク要素に経路切替要求メッセージを送信し、前記第３のコアネットワーク要素が前記第１のコアネットワーク要素にセッション修正要求メッセージを送信し、それにより、前記第１のコアネットワークが、前記第２のコアネットワーク要素が前記第１の基地局側のＰＤＵセッションを解放するようにトリガーすることを含む。
【０１１７】
ある実施例において、前記ＰＤＵセッション識別情報及び／又はデータストリーム識別情報は、第１のタイプの切替を実行するかどうかを指示する。
【０１１８】
ある実施例において、前記装置は、さらに、
受信ユニット７０１は、セッション確立又は修正要求メッセージを受信するように構成され、前記セッション確立又は修正要求メッセージにＰＤＵセッションの識別情報及び／又はデータストリーム識別情報及び／又はスライス選択支援情報ＳＮＳＳＡＩ及び／又はＤＮＮ情報が含まれ、
決定ユニット７０２は、前記セッション確立又は修正要求メッセージ内の情報に基づいて前記ＰＤＵセッション及び／又は前記ＰＤＵセッション内のデータストリームに対して第１のタイプの伝送及び／又は第１のタイプの切替プロセスを行うかどうかを決定するように構成される。
【０１１９】
ある実施例において、前記決定ユニット７０２は、前記セッション確立又は修正要求メッセージのＳＮＳＳＡＩ及び／又はＤＮＮ及び／又は第１のポリシーに基づいて、前記ＰＤＵセッション及び／又は前記ＰＤＵセッション内のデータストリームに対して第１のタイプの伝送及び／又は第１のタイプの切替プロセスを行うかどうかを決定するように構成され、
ここで、前記第１のポリシーが少なくとも１つのセットのＳ−ＮＳＳＡＩ及び／又はＤＮＮと第１の指示情報との対応関係及び／又はＰＣＣポリシー情報を含み、前記第１の指示情報が第１のタイプの伝送及び／又は第１のタイプの切替プロセスを行うかどうかを指示する。
【０１２０】
ある実施例において、前記セッション確立又は修正要求メッセージに２つのＰＤＵセッション識別情報及び／又はデータストリーム識別情報が含まれ、
前記第１のコアネットワーク要素が前記２つのＰＤＵセッション識別情報及び／又はデータストリーム識別情報に基づいて、前記２つのＰＤＵセッションの全て又は一部のデータストリームに対して前記第１のタイプの伝送及び／又は前記第１のタイプの切替プロセスを行うと決定する。
【０１２１】
ある実施例において、前記端末が２回のセッション確立又は更新要求を開始し、１回目のセッション確立又は修正要求メッセージに第１のセッション識別子が含まれ、２回目のセッション確立又は修正要求メッセージに第１のセッション識別子及び第２のセッション識別子が含まれ、及び／又は、１回目のセッション確立又は修正要求メッセージに第１のデータストリーム識別子が含まれ、２回目のセッション確立又は修正要求メッセージに第１のデータストリーム識別子及び第２のデータストリーム識別子が含まれる。
【０１２２】
ある実施例において、前記ＰＤＵセッション識別子及び／又はデータストリーム識別子には第１の情報が含まれ、前記第１の情報は、第１のタイプの伝送及び／又は第１のタイプの切替プロセスを行うように指示する。
【０１２３】
ある実施例において、前記装置は、さらに、
記憶ユニット７０３は、前記ＰＤＵセッション的識別情報及び／又はデータストリーム識別情報と、前記第１のタイプの伝送及び／又は第１のタイプの切替プロセスの実行の要否との対応関係を記憶するように構成され、
前記決定ユニット７０２は、さらに、前記受信ユニットが切替要求を受信した後、ローカルに記憶されたＰＤＵセッションの識別情報及び／又はデータストリーム識別情報と前記第１のタイプの伝送及び／又は第１のタイプの切替プロセスの実行の要否との対応関係に基づいて、ＰＤＵセッション及び／又は前記ＰＤＵセッション内のデータストリームに対して第１のタイプの伝送及び／又は第１のタイプの切替プロセスを行うかどうかを決定する。
【０１２４】
ある実施例において、前記第１のコアネットワーク要素が前記ＰＤＵセッション及び／又は前記ＰＤＵセッション内のデータストリームに対して第１のタイプの伝送及び／又は第１のタイプの切替プロセスを行うことを基地局に通知する。
【０１２５】
ある実施例において、前記第１のポリシーは、契約情報データベースＵＤＭ、ポリシー制御ネットワーク要素ＰＣＦ、前記第１のコアネットワーク要素のうちの少なくとも１つのネットワーク要素に構成される。
【０１２６】
ある実施例において、前記決定ユニット７０２は、前記セッション確立又は修正要求メッセージ内の情報及び／又は第１のポリシー及び／又は前記ＰＤＵセッション内のデータストリームのＱｏＳパラメータに基づいて、前記ＰＤＵセッション及び／又は前記ＰＤＵセッション内のデータストリームに対して第１のタイプの伝送及び／又は第１のタイプの切替プロセスを行うかどうかを決定するように構成される。
【０１２７】
ある実施例において、前記第１のタイプの切替プロセスにおいて、前記第１の基地局側の第１の経路及び前記第２の基地局側の第２の経路に同一のＩＰアドレスを割り当て、前記第１の基地局側のＰＤＵセッションと前記第２の基地局側のＰＤＵセッションとが同じデータストリーム及びＱｏＳポリシーに対応する。
【０１２８】
ある実施例において、前記第１のタイプの切替プロセスにおいて、前記第１の基地局側の第１の経路及び前記第２の基地局側の第２の経路に異なるＩＰアドレスを割り当て、前記第１の基地局側のＰＤＵセッションと前記第２の基地局側のＰＤＵセッションとが同じデータストリーム及びＱｏＳポリシーに対応する。
【０１２９】
ある実施例において、前記第１のタイプの切替プロセスにおいて、
前記第２のコアネットワーク要素が前記第１の基地局との第１の経路の確立及び前記第２の基地局との第２の経路の確立を完了した後、下り方向において前記第１の基地局及び前記第２の基地局に同一のデータを同時送信し、及び／又は、上り方向において前記第１の基地局及び前記第２の基地局により送信された同一のデータを受信し、
前記第２の基地局が前記第２の経路を介して前記第２のコアネットワーク要素により送信された下りデータを受信した後、前記エアインターフェースデータ無線ベアラが前記第１の基地局から前記第２の基地局に切り替える前又は前記第２の基地局側のエアインターフェースデータ無線ベアラが確立する前に、前記下りデータをキャッシュ又は破棄する。
【０１３０】
ある実施例において、前記第１の経路と前記第２の経路とが同一のＰＤＵセッションに属する。
【０１３１】
ある実施例において、前記コピー型伝送は、２つの異なる経路において同じデータを伝送することである。
【０１３２】
ある実施例において、前記２つの異なる経路において同じデータを伝送することは、
コアネットワーク側で、同一の第２のコアネットワーク要素が２つの異なる経路において同じデータを伝送し、又は、２つの異なる第２のコアネットワーク要素が２つの異なる経路において同じデータを伝送することと、
アクセスネットワーク側で、同じ基地局の２つの異なるデータベアラに同じデータが伝送され、又は、２つの異なる基地局の２つの異なるデータベアラに同じデータが伝送されることとを含む。
【０１３３】
ある実施例において、前記異なる経路のＩＰアドレスが異なり又は同じ、前記異なる経路のデータストリームとＱｏＳポリシーが異なり又は同じである。
【０１３４】
上記の技術案において、データベアラは、経路及び／又はリンクを指し、異なるデータベアラは、ユーザプレーンの異なる経路及び／又はリンクを指す。
【０１３５】
ある実施例において、コアネットワーク側で同一の第２のコアネットワーク要素が２つの異なる経路において同じデータを伝送し、アクセスネットワーク側で２つの異なる基地局の２つの異なるデータベアラに同じデータが伝送される場合、
前記第２のコアネットワーク要素は、前記第１の基地局と前記第２の基地局に同一の下りデータパケットを同時に送信する。
【０１３６】
ある実施例において、異なる経路において伝送されるデータのデータストリーム識別子が同じである。又は、異なる経路において伝送されるデータのデータストリーム識別子が異なる。
【０１３７】
ある実施例において、前記第２のコアネットワーク要素が前記第１の基地局及び前記第２の基地局に同時送信する同一の下りデータパケットには、第１のシーケンス番号が含まれ、ここで、
下りデータ伝送について、前記第１の基地局が下りデータパケットのコアネットワークプロトコルにおける一層の第１のシーケンス番号とエアインターフェースプロトコルにおける一層の第２のシーケンス番号との対応関係を前記第２の基地局に通知し、前記第２の基地局が受信したデータパケットから前記コアネットワークプロトコルにおける一層の第１のシーケンス番号を解析して取得し、前記第１のシーケンス番号と前記第２のシーケンス番号との対応関係に基づいて前記第１のシーケンス番号に対応する前記第２のシーケンス番号を端末に送信し、前記端末が前記第２のシーケンス番号に基づいて前記データパケットを並び替え、
ある実施例において、前記第２の基地局が下り方向において受信したデータパケット内の第１のシーケンス番号が前記対応関係の第１のシーケンス番号と異なる場合、前記第２の基地局が前記対応関係に基づいて前記データパケットの第１のシーケンス番号に対応する第２のシーケンス番号を計算する。
【０１３８】
ある実施例において、前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する。
【０１３９】
ある実施例において、前記端末が前記第１の基地局と前記第２の基地局に同時に送信する同一上りデータパケットには、第２のシーケンス番号が含まれ、ここで、
上りデータ伝送について、前記第１の基地局が上りデータパケットのエアインターフェースプロトコルにおける一層の第２のシーケンス番号とコアネットワークプロトコルにおける一層の第１のシーケンス番号との対応関係を前記第２の基地局に通知し、前記第２の基地局が受信したデータパケットから前記エアインターフェースプロトコルにおける一層の第２のシーケンス番号を解析して取得し、前記第２のシーケンス番号と前記第１のシーケンス番号との対応関係に基づいて前記第２のシーケンス番号に対応する前記第１のシーケンス番号を第２のコアネットワーク要素に送信し、前記第２のコアネットワーク要素が前記第１のシーケンス番号に基づいて前記データパケットを並び替える。
【０１４０】
ある実施例において、前記第２の基地局が上り方向において受信したデータパケットの第２のシーケンス番号が前記対応関係の第２のシーケンス番号と異なる場合、前記第２の基地局が前記対応関係に基づいて前記データパケットの第２のシーケンス番号に対応する第１のシーケンス番号を計算する。
【０１４１】
ある実施例において、前記対応関係が前記第１の基地局によりコアネットワーク要素を介して前記第２の基地局にパススルーし、又は、前記対応関係が前記第１の基地局により基地局の間の直接インターフェースを介して前記第２の基地局に伝送する。
【０１４２】
ある実施例において、前記エアインターフェースプロトコルにおける一層がＰＤＣＰ層及び／又はＳＤＡＰ層を含み、前記コアネットワークプロトコルにおける一層がＧＴＰ層を含む。
【０１４３】
ある実施例において、前記第１の基地局がＸｎインターフェースを介して前記第１のシーケンス番号と前記第２のシーケンス番号との対応関係を前記第２の基地局に通知し、又は、
前記第１の基地局がＮ２インターフェースを介して前記第１のシーケンス番号と前記第２のシーケンス番号との対応関係をコアネットワークに送信し、前記コアネットワークが前記第１のシーケンス番号と前記第２のシーケンス番号との対応関係を前記第２の基地局に送信し、又は、
前記第１の基地局がエアインターフェースメッセージを介して前記第１のシーケンス番号と前記第２のシーケンス番号との対応関係を前記第２の基地局に通知する。
【０１４４】
ある実施例において、前記第１の基地局が前記下りデータパケットを受信した後、前記データパケットから前記第１のシーケンス番号を解析して取得し、エアインターフェースプロトコルにおける一層の第２のシーケンス番号で前記データパケットを並び替え、前記データパケットの前記第１のシーケンス番号と前記第２のシーケンス番号との対応関係を決定する。
【０１４５】
ある実施例において、前記第２のコアネットワーク要素が前記第１の基地局及び前記第２の基地局に同時送信する同一の下りデータパケットには、第１のシーケンス番号が含まれ、ここで、
下りデータ伝送について、前記第１の基地局及び／又は前記第２の基地局が下りデータパケットを受信した後、前記下りデータパケットの前記第１のシーケンス番号が前記端末に伝送され、前記端末が前記下りデータパケットから前記第１のシーケンス番号を解析して取得し、前記第１のシーケンス番号に基づいて前記下りデータパケットを並べ替える。
【０１４６】
ある実施例において、前記端末が前記第１の基地局及び前記第２の基地局に送信した同一の上りデータパケットには、第１のシーケンス番号が含まれ、ここで、
上りデータ伝送について、前記第１の基地局及び／又は前記第２の基地局が上りデータパケットを受信した後、前記上りデータパケットの前記第１のシーケンス番号が前記第２のコアネットワーク要素に伝送され、前記第２のコアネットワーク要素が前記上りデータパケットから前記第１のシーケンス番号を解析して取得し、前記第１のシーケンス番号に基づいて前記上りデータパケットを並び替える。
【０１４７】
ある実施例において、前記データパケットの第１のシーケンス番号は、ＰＤＣＰ層又はＳＤＡＰ層又はＧＴＰ層以上のプロトコル層に含まれる。
【０１４８】
ある実施例において、在前記ＰＤＣＰ層に第２のシーケンス番号を追加する場合、コアネットワークユーザプレーン冗長伝送のデータストリームに対応するエアインターフェースデータ無線ベアラが、他のデータストリームを伝送しない。
【０１４９】
ある実施例において、前記エアインターフェースデータ無線ベアラが前記第１の基地局から前記第２の基地局に切り替えた後又は在前記第２の基地局側のエアインターフェースデータ無線ベアラが確立された後、前記第２の基地局が端末に下りデータを送信し、ここで、前記第２の基地局に前記第２のコアネットワーク要素からの下りデータがキャッシュされた場合、キャッシュされた前記第２のコアネットワーク要素からの下りデータを前記端末に送信する。
【０１５０】
図７に示したセッション処理装置の各部の実装機能は、上述したセッション処理方法の説明を参酌して理解されるべきである。図７に示すセッション処理装置における各手段の機能は、プロセッサ上で動作するプログラムによって実現されてもよいし、具体的な論理回路によって実現されてもよい。
【０１５１】
本願実施例における上記セッション処理装置は、ソフトウェア機能ブロックの形で実現され、独立した製品として販売又は使用される場合、一つのコンピュータ読み取り可能な記憶媒体に記憶されてもよい。このような理解に基づいて、本願の実施例の技術的解決策の本質または従来技術に寄与する部分は、１つの記憶媒体に記憶されたソフトウェア製品の形態で具現化されてもよく、このソフトウェア製品は、いくつかの命令を含み、１つのコンピュータデバイス(パーソナルコンピュータ、サーバ、またはネットワークデバイスなどであってもよい)に、本願の様々な実施例の記載の方法の全てまたは一部を実行させる。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本願の実施例は、任意の特定のハードウェア及びソフトウェアの組み合わせに限定されない。
【０１５２】
したがって、本願の実施例は、プロセッサによって実行されたときに本願の実施例の上記のセッション処理方法を実現するコンピュータ実行可能命令を記憶したコンピュータ記憶媒体も提供する。
【０１５３】
図８は、本願の実施例に係るコンピュータデバイスの構成を示す図であり、このコンピュータデバイスは、アクセスネットワークデバイスでもコアネットワークデバイスでもよい。図８に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図８に示す構成は、例示であり、上述した電子装置の構成に限定されないことは、当業者に理解されるところである。例えば、コンピュータデバイス１００は、図８に示す構成よりも多いか少ない構成要素をさらに含んでもよく、又は図８に示す構成と異なる構成を有してもよい。
【０１５４】
メモリ１００４は、アプリケーションのソフトウェアプログラム及びモジュール、例えば、本願の実施例における方法に対応するプログラム命令/モジュールを格納するために使用されてもよく、プロセッサ１００２は、メモリ１００４内に格納されたソフトウェアプログラム及びモジュールを実行することによって、様々な機能アプリケーション及びデータ処理を実行し、即ち、上述した方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１５５】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１５６】
本願の実施例に記載した技術的手段同士は、矛盾しない限り任意に組み合わせることができる。
【０１５７】
本明細書で提供されるいくつかの実施例では、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１５８】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０１５９】
また、本願の各実施例における各機能部は、全てが１つの第２の処理部に集積されていてもよいし、各部がそれぞれ単独で１つのユニットとして構成されていてもよいし、２つ以上のユニットが１つのユニットに集積されていてもよく、上記の統合されたユニットは、ハードウェアの形態で実現されてもよいし、ハードウェア及びソフトウェア機能ユニットの形態で実現されてもよい。
【０１６０】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。
【図１】
2021525015.tif 000004
【図２ａ】
2021525015.tif 000005
【図２ｂ】
2021525015.tif 000006
【図３】
2021525015.tif 000007
【図４ａ】
2021525015.tif 000008
【図４ｂ】
2021525015.tif 000009
【図５】
2021525015.tif 000010
【図６】
2021525015.tif 000011
【図７】
2021525015.tif 000012
【図８】
2021525015.tif 000013
【図９】
2021525015.tif 000014
【図１０】
2021525015.tif 000015
【国際調査報告】
2021525015.tif 000016
2021525015.tif 000017
2021525015.tif 000018
2021525015.tif 000019